(57)【要約】本開示は、リソースプールの設定方法、使用方法、および設定装置、端末を提供する。端末に適用されるリソースプールの取得方法は、事前定義される第１のリソースプールを取得することと、事前設定される第１のリソースプールを取得することと、設定される第１のリソースを取得することとの、少なくとも１つの方式で第１のリソースプールを取得する。【選択図】図２
2022502941.tif 000002
【特許請求の範囲】
【請求項１】
端末に適用されるリソースプールの取得方法であって、
事前定義される第１のリソースプールを取得することと、事前設定される第１のリソースプールを取得することと、設定される第１のリソースを取得することとの、少なくとも１つの方式で前記第１のリソースプールを取得することを含む、リソースプールの取得方法。
【請求項２】
請求項１に記載のリソースプールの取得方法であって、事前定義される第１のリソースプール、事前設定される第１のリソースプール、および設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む、リソースプールの取得方法。
【請求項３】
請求項２に記載のリソースプールの取得方法であって、前記第１のリソースプールは、ネットワーク側装置によって設定される第１のリソースプールを含み、事前定義される第１のリソースプール、事前設定される第１のリソースプール、および設定される第１のリソースプールのうちの少なくとも２つは互換性がある、リソースプールの取得方法。
【請求項４】
請求項２に記載のリソースプールの取得方法であって、前記第１のリソースプールは、他の端末によって設定される第１のリソースプールを含み、事前定義される第１のリソースプール、事前設定される第１のリソースプール、および前記他の端末によって設定される第１のリソースプールのうちの少なくとも２つは互換性がある、リソースプールの取得方法。
【請求項５】
前記リソースプールの取得方法は、
再設定される第１のリソースプールを取得することをさらに含み、前記再設定される第１のリソースプールは、事前定義される前記第１のリソースプール、事前設定される前記第１のリソースプール、設定される前記第１のリソースプールの少なくとも１つと同じであるか互換性がある、請求項１に記載のリソースプールの取得方法。
【請求項６】
請求項１に記載のリソースプールの取得方法であって、
センシングプロセスに従って、前記第１のリソースプールをセンシングすることをさらに含む、リソースプールの取得方法。
【請求項７】
請求項６に記載のリソースプールの取得方法であって、前記センシングプロセスに従って、前記第１のリソースプールをセンシングすることは、
第１の時間窓内で前記第１のリソースプールをセンシングすること、
第１の周期に従って前記第１のリソースプールをセンシングすること、
対応する伝送設定または対応する伝送モードを使用する場合、前記第１のリソースプールのセンシングすること、
他のリソースプールでの伝送が対応する条件を満たす場合、前記第１のリソースプールをセンシングすること、のうちの少なくとも１つを含む、リソースプールの取得方法。
【請求項８】
請求項７に記載のリソースプールの取得方法であって、前記対応する伝送設定または対応する伝送モードは、
ブロードキャストが必要な場合、
ビームスキャンが必要な場合、
接続に失敗した場合、
リソースプールを再設定する場合、
リソースプールを増加する場合、
リソースプールを解放する場合、
準コロケーション情報ＱＣＬ（ｑｕａｓｉ  ｃｏ−ｌｏｃａｔｉｏｎ）が取得できない場合、
要求を満たす同期ソースが見つけられない場合、のうちの少なくとも１つを含む、リソースプールの取得方法。
【請求項９】
請求項７に記載のリソースプールの取得方法であって、前記対応する条件は、
ビットエラー率がしきい値よりも高いこと、
ブロックエラー率がしきい値よりも高いこと、
誤警報率Ｆａｌｓｅ  ａｌａｒｍがしきい値を超えていること、
ビーム障害からの回復、
接続失敗からの回復、
接続の再設定、の少なくとも１つを含む、リソースプールの取得方法。
【請求項１０】
請求項６に記載のリソースプールの取得方法であって、前記第１のリソースプールをセンシングすることは、
前記第１のリソースプールにおいて同期すること、
前記第１のリソースプールにおいて測定すること、
前記第１のリソースプールにおいて伝送すること、
前記第１のリソースプールにおいて監視すること、の少なくとも１つを含む、リソースプールの取得方法。
【請求項１１】
請求項１０に記載のリソースプールの取得方法であって、前記第１のリソースプールで伝送される内容は、
公安サービス、基礎Ｖ２Ｘサービス、定期的サービス、の少なくとも１つを含む、リソースプールの取得方法。
【請求項１２】
請求項１０に記載のリソースプールの取得方法であって、前記第１のリソースプールで伝送される内容は、
ブロードキャストメッセージ、同期信号、他のリソースプールの設定情報、サービスとリソースプール間の対応関係、伝送タイプとリソースプール間の対応関係、検出メッセージ、追加のリソースプール設定情報、および無線リソース制御情報、の少なくとも１つを含む、リソースプールの取得方法。
【請求項１３】
請求項１２に記載のリソースプールの取得方法であって、前記第１のリソースプールで伝送される内容は他のリソースプールの設定情報を含む場合、前記他のリソースプールの設定情報は、第１の情報ブロック、接続要求、後続のステップのメッセージの少なくとも１つで運ばれる、リソースプールの取得方法。
【請求項１４】
請求項１に記載のリソースプールの取得方法であって、前記第１のリソースプールは、少なくとも１つのリソースプールエンティティを含み、前記方法はさらに、
前記第１のリソースプールで使用される少なくとも１つのリソースプールエンティティを決定することを含む、リソースプールの取得方法。
【請求項１５】
請求項１４に記載のリソースプールの取得方法であって、
事前定義される評価基準、事前設定される評価基準、および設定される評価基準のうちの少なくとも１つに基づいて、前記第１のリソースプールからセンシングされるリソースプールエンティティを選択することと、
ネットワーク側装置および／または他の端末から送信される指示情報に基づいて、第１のリソースプールからセンシングされるリソースプールエンティティを選択することとの少なくとも１つの方式で、前記第１のリソースプールで使用される少なくとも１つのリソースプールエンティティを決定する、リソースプールの取得方法。
【請求項１６】
請求項１５に記載のリソースプールの取得方法であって、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのサイクリックプレフィックスＣＰ、リソースプールエンティティの通信距離、リソースプールエンティティの電力制限、およびリソースプールエンティティのサービス品質Ｑｏｓ要求の少なくとも１つを含む、リソースプールの取得方法。
【請求項１７】
請求項１５に記載のリソースプールの取得方法であって、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む、リソースプールの取得方法。
【請求項１８】
請求項１に記載のリソースプールの取得方法であって、前記第１のリソースプールが他の端末によって設定される場合、前記第１のリソースプールの設定情報は、サイドリンクｓｉｄｅｌｉｎｋで前記他の端末によって送信されるサイドリンクマスター情報ブロックおよび／または他のブロードキャストメッセージに運ばれる、リソースプールの取得方法。
【請求項１９】
請求項１に記載のリソースプールの取得方法であって、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールを後で使用されるリソースプールとすること、または、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールから少なくとも１つの第２のリソースプールを選択し、後で使用されるリソースプールとし、選択されたリソースプールの識別子を前記リソースプールの設定装置に送信することを含み、
前記リソースプールの設定装置は、ネットワーク側装置或いは端末である、リソースプールの取得方法。
【請求項２０】
請求項１に記載のリソースプールの取得方法であって、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である、リソースプールの取得方法。
【請求項２１】
リソースプールの設定装置に適用されるリソースプールの設定方法であって、前記方法は、
端末の第１のリソースプールを設定することを含む、リソースプールの取得方法。
【請求項２２】
請求項２１に記載のリソースプールの設定方法であって、事前定義される第１のリソースプール、事前設定される第１のリソースプール、および設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む、リソースプールの取得方法。
【請求項２３】
請求項２２に記載のリソースプールの設定方法であって、前記リソースプールの設定装置はネットワーク側装置であり、事前定義される第１のリソースプール、事前設定される第１のリソースプール、およびネットワーク側装置によって設定される第１のリソースプールのうちの少なくとも２つは互換性がある、リソースプールの取得方法。
【請求項２４】
請求項２２に記載のリソースプールの設定方法であって、前記リソースプールの設定装置は他の端末であり、事前定義される第１のリソースプール、事前設定される第１のリソースプール、および前記他の端末によって設定される第１のリソースプールのうちの少なくとも２つは互換性がある、リソースプールの取得方法。
【請求項２５】
請求項２１に記載のリソースプールの設定方法であって、
前記端末の第１のリソースプールを再設定することをさらに含み、再設定される前記第１のリソースプールは、設定される前記第１のリソースプールと同じであるか互換性がある、リソースプールの取得方法。
【請求項２６】
請求項２１に記載のリソースプールの設定方法であって、前記第１のリソースプールは、少なくとも１つのリソースプールエンティティを含み、前記方法はさらに、
前記端末が前記第１のリソースプールで使用するリソースプールエンティティを設定することを含む、リソースプールの取得方法。
【請求項２７】
請求項２６に記載のリソースプールの設定方法であって、
リソースプールエンティティを選択するための評価基準を設定することと、
前記第１のリソースプールから選択されるリソースプールエンティティを示す指示情報を端末に送信することと、の少なくとも１つの方式に従って、前記端末が前記第１のリソースプールで使用するリソースプールエンティティを設定する、リソースプールの取得方法。
【請求項２８】
請求項２７に記載のリソースプールの設定方法であって、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのサイクリックプレフィックスＣＰ、リソースプールエンティティの通信距離、リソースプールエンティティの電力制限、およびリソースプールエンティティのサービス品質Ｑｏｓ要求の少なくとも１つを含む、リソースプールの取得方法。
【請求項２９】
請求項２７に記載のリソースプールの設定方法であって、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む、リソースプールの取得方法。
【請求項３０】
請求項２１に記載のリソースプールの設定方法であって、前記リソースプールの設定装置が他の端末である場合、前記第１のリソースプールの設定情報は、サイドリンクｓｉｄｅｌｉｎｋで他の端末によって送信されるサイドリンクマスター情報ブロックおよび／または他のブロードキャストメッセージに運ばれる、リソースプールの取得方法。
【請求項３１】
請求項２１に記載のリソースプールの設定方法であって、
少なくとも１つの第２のリソースプールの設定情報を前記端末に送信すること、または、
少なくとも１つの第２のリソースプールの設定情報を前記端末に送信し、前記端末から返され、選択される少なくとも１つの第２のリソースプールの識別子を受信することをさらに含む、リソースプールの取得方法。
【請求項３２】
請求項２１に記載のリソースプールの設定方法であって、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である、リソースプールの取得方法。
【請求項３３】
端末であって、
事前定義される第１のリソースプールを取得することと、事前設定される第１のリソースプールを取得することと、設定される第１のリソースを取得することとの、少なくとも１つの方式で前記第１のリソースプールを取得するように構成される取得モジュールを備える、端末。
【請求項３４】
請求項３３に記載の端末であって、
再設定される第１のリソースプールを取得するように構成される取得モジュールをさらに備え、前記再設定される第１のリソースプールは、事前定義される前記第１のリソースプール、事前設定される前記第１のリソースプール、設定される前記第１のリソースプールの少なくとも１つと同じであるか互換性がある、端末。
【請求項３５】
請求項３３に記載の端末であって、
センシングプロセスに従って、前記第１のリソースプールをセンシングするように構成されるセンシングモジュールを備える、端末。
【請求項３６】
請求項３３に記載の端末であって、前記第１のリソースプールは、少なくとも１つのリソースプールエンティティを含み、前記端末はさらに、
前記第１のリソースプールで使用される少なくとも１つのリソースプールエンティティを決定するように構成される決定モジュールを備える、端末。
【請求項３７】
請求項３３に記載の端末であって、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールを後で使用されるリソースプールとすること、または、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールから少なくとも１つの第２のリソースプールを選択し、後で使用されるリソースプールとし、選択されたリソースプールの識別子を前記リソースプールの設定装置に送信するように構成される取得モジュールをさらに備え、
前記リソースプールの設定装置は、ネットワーク側装置或いは端末である、端末。
【請求項３８】
リソースプールの設定装置であって、
端末の第１のリソースプールを設定するように構成される設定モジュールを備える、リソースプールの設定装置。
【請求項３９】
請求項３８に記載のリソースプールの設定装置であって、
前記端末の第１のリソースプールを再設定するように構成される再設定モジュールを備え、再設定される第１のリソースプールは、設定される第１のリソースプールと同じであるか互換性がある、リソースプールの設定装置。
【請求項４０】
請求項３８に記載のリソースプールの設定装置であって、
前記設定モジュールはさらに、前記端末が前記第１のリソースプールで使用するリソースプールエンティティを設定するように構成される、リソースプールの設定装置。
【請求項４１】
請求項３８に記載のリソースプールの設定装置であって、
少なくとも１つの第２のリソースプールの設定情報を前記端末に送信する、または、
少なくとも１つの第２のリソースプールの設定情報を前記端末に送信し、前記端末から返され、選択される少なくとも１つの第２のリソースプールの識別子を受信するように構成される送信モジュールをさらに備える、リソースプールの設定装置。
【請求項４２】
メモリ、プロセッサ、および前記メモリに格納され前記プロセッサ上で実行されるコンピュータプログラムを備える通信装置であって、前記コンピュータプログラムは前記プロセッサによって実行されると、請求項１乃至２０のいずれか１項に記載のリソースプールの取得方法のステップを実施する、または請求項２１乃至３２のいずれか１項に記載のリソースプールの設定方法のステップを実施する、通信装置。
【請求項４３】
コンピュータプログラムが格納されてあるコンピュータ可読記憶媒体であって、前記コンピュータプログラムはプロセッサによって実行されると、請求項１乃至２０のいずれか１項に記載のリソースプールの取得方法のステップを実施する、または請求項２１乃至３２のいずれか１項に記載のリソースプールの設定方法のステップを実施する、コンピュータ可読記憶媒体。
【発明の詳細な説明】
【技術分野】
【０００１】
（関連出願の相互参照）
本出願は２０１８年９月２６日に中国で出願された中国特許出願番号２０１８１１１２６４６８．Ｘの優先権を主張しており、そのすべての内容は引用によりここに含まれている。
本開示は、通信技術分野に関し、特に、リソースプールの設定方法、使用方法、および設定装置、端末に関する。
【背景技術】
【０００２】
Ｓｉｄｅｌｉｎｋ（サイドリンク）において伝送を行う端末は２種類ある。
設定Ａの端末：ネットワーク装置は、現在のキャリアでのｓｉｄｅｌｉｎｋ伝送リソースの割り当てを送信し、端末は、割り当て情報を受信した後、ネットワーク装置によって示されたｓｉｄｅｌｉｎｋ伝送リソースを選択してかつそれに従って、ｓｉｄｅｌｉｎｋ伝送を実行する。
設定Ｂの端末：端末は、製造元によって事前設定されたリソースプールからｓｉｄｅｌｉｎｋ伝送リソースを選択する。
【０００３】
ロングタームエボリューション（Ｌｏｎｇ  Ｔｅｒｍ  Ｅｖｏｌｕｔｉｏｎ、ＬＴＥ）ｓｉｄｅｌｉｎｋでは、ｓｉｄｅｌｉｎｋはＬＴＥの上りリソースを再利用する。Ｓｉｄｅｌｉｎｋ端末は、プライマリサイドリンク同期信号（ｐｒｉｍａｒｙ  ｓｉｄｅｌｉｎｋ  ｓｙｎｃｈｒｏｎｉｚａｔｉｏｎ  ｓｉｇｎａｌ，ＰＳＳＳ）、セカンダリサイドリンク同期信号（Ｓｅｃｏｎｄａｒｙ  Ｓｉｄｅｌｉｎｋ  Ｓｙｎｃｈｒｏｎｉｚａｔｉｏｎ、ＳＳＳＳ）、およびサイドリンクマスター情報ブロック（ＭａｓｔｅｒＩｎｆｏｒｍａｔｉｏｎＢｌｏｃｋ−ＳＬ−Ｖ２Ｘ、ＭＩＢ−  ＳＬ−Ｖ２Ｘ）をｓｉｄｅｌｉｎｋにおいて送信する。ここで、ＰＳＳＳとＳＳＳＳは受信端末がサブフレームレベルのタイミング情報を取得するのを支援するために使用される。ＭＩＢ−ＳＬ−Ｖ２Ｘはｔｄｄ−ｃｏｎｆｉｇ、直接フレーム番号（Ｄｉｒｅｃｔ  Ｆｒａｍｅ  Ｎｕｍｂｅｒ、ＤＦＮ）、帯域幅などの情報を運んでおり、ＤＦＮはフレームレベルのタイミング情報を提供し、  ｔｄｄ−ｃｏｎｆｉｇは、ＵＬ（アップリンク）／  ＤＬ（ダウンリンク）設定を提供する。簡単にするために、ＰＳＳＳ、ＳＳＳＳ、およびＭＩＢ−ＳＬ−Ｖ２Ｘを伝送するためのリソースは、略してｓｉｄｅｌｉｎｋ同期リソースと呼ばれる。設定Ａの端末は、ＭＩＢ−ＳＬ−Ｖ２Ｘでネットワーク装置から取得したｔｄｄ−ｃｏｎｆｉｇを送信するが、設定Ｂの端末は、ＭＩＢ−ＳＬ−Ｖ２Ｘで事前設定されたｔｄｄ−ｃｏｎｆｉｇを送信する。
【０００４】
端末は、最初にｔｄｄ−ｃｏｎｆｉｇに従って、無線リソースにおいて、どれが上りサブフレームであるか、どれが下りサブフレームおよび特別なサブフレームであるかを判断する。次に、端末は、下りサブフレームとｓｉｄｅｌｉｎｋ同期リソースによって占有されているリソースを無線リソースから削除し、残りのリソースを時系列に配置し、１０ｍｓ毎に１つのｓｉｄｅｌｉｎｋフレームにするように番号を付け、その番号はＤＦＮである。
【０００５】
概略図は図１に示されるように、ＵＬサブフレームがすべてＳＬを伝送するために再利用され、中には、システムフレーム番号（Ｓｙｓｔｅｍ  Ｆｒａｍｅ  Ｎｕｍｂｅｒ、ＳＦＮ）１のサブフレーム８がＳＬ同期信号の伝送に使用されると仮定する。
【０００６】
設定Ａの端末の場合、ネットワーク装置からｔｄｄ−ｃｏｎｆｉｇおよびｓｉｄｅｌｉｎｋ同期リソースに関する情報を取得できる。設定Ｂの端末の場合、通常はネットワークカバレッジがないため、製造元の事前設定からｔｄｄ−ｃｏｎｆｉｇおよびｓｉｄｅｌｉｎｋ同期リソースを取得することしかできない。
【０００７】
ＬＴＥでサポートされる上りおよび／または下り設定は６つの種類だけであり、設定の単位はサブフレームである。さらに、新しい無線（ＮｅｗＲａｄｉｏ、ＮＲ）でサポートされる上りおよび／または下り設定は数十種類がある。設定の単位はシンボルにすることができる。ネットワークはいつでも上りおよび／または下り設定を動的に変更でき、さらに後続の進化でもサポートされる設定の数を増やし続けられる。
【０００８】
ＮＲではネットワークが上りと下りの設定を非常に柔軟にサポートしており、この設定を示すために必要なシグナリングのオーバーヘッドは、ＬＴＥよりもはるかに大きくなる。一方では、ＭＩＢ−ＳＬ−Ｖ２Ｘで当該上りと下りの設定を運ぶのはオーバーヘッドがかかる。他方では、製造元によって事前設定される上りと下りの設定は制限され、ネットワーク設定の上りと下りの設定は製造元によって事前設定される上りと下りの設定とは異なる可能性があり、ｓｉｄｅｌｉｎｋリソースも異なるため、相互干渉が発生する。また、このとき、２つの設定の端末が同じ絶対タイミングがアラインメントまたは同じ同期ソースを持ち、かつ同じｓｉｄｅｌｉｎｋリソースを使用している場合でも、２つの端末はＤＦＮに対する理解が異なり、相互干渉を引き起こす可能性がある。
【発明の概要】
【発明が解決しようとする課題】
【０００９】
本開示によって解決されるべき技術的問題は、異なる設定の端末間の相互干渉を回避することができる、リソースプールの設定方法、使用方法、および設定装置、端末を提供することである。
【課題を解決するための手段】
【００１０】
上記の技術的問題を解決するために、本開示の実施形態は以下の技術案を提供する。
第１の態様では、本開示の実施形態は、端末に適用されるリソースプールの取得方法を提供し、当該方法は、
事前定義される第１のリソースプールを取得することと、事前設定される第１のリソースプールを取得することと、設定される第１のリソースを取得することとの、少なくとも１つの方式で第１のリソースプールを取得することを含む。
【００１１】
第２の態様では、本開示の実施形態は、リソースプールの設定装置に適用するリソースプールの設定方法を提供し、当該方法は、
端末の第１のリソースプールを設定することを含む。
【００１２】
第３の態様では、本開示の実施形態は、端末を提供し、当該端末は、
事前定義される第１のリソースプールを取得することと、事前設定される第１のリソースプールを取得することと、設定される第１のリソースを取得することとの、少なくとも１つの方式で第１のリソースプールを取得するように構成される取得モジュールを備える。
【００１３】
第４の態様では、本開示の実施形態は、リソースプールの設定装置を提供し、当該装置は、
端末の第１のリソースプールを設定する設定モジュールを備える。
【００１４】
第５の態様では、本公開の実施形態は、通信装置を提供し、当該通信装置はメモリ、プロセッサ及び上記メモリに記憶されかつプロセッサで実行可能のコンピュータプログラムを備え、前記コンピュータプログラムが前記プロセッサに実行されると、上記のリソースプールの取得方法のステップ或いは上記のリソースプールの設定方法のステップが実現される。
【００１５】
第６の態様では、本開示の実施形態は、コンピュータ読み取り可能な記憶媒体を提供する。前記コンピュータ読み取り可能な記憶媒体にコンピュータプログラムが記憶されており、前記コンピュータプログラムがプロセッサに実行されると、上記のリソースプールの取得方法のステップ或いは上記のリソースプールの設定方法のステップが実現される。
【発明の効果】
【００１６】
本開示の実施形態は、以下の有益な効果を有する：
上記のスキームでは、端末の第１のリソースプールは、事前定義および／または事前設定および／または設定されることで、異なる設定の異なる端末間の相互干渉を回避する。
【図面の簡単な説明】
【００１７】
【図１】ＤＦＮを得る模式図である。
【図２】本開示の実施形態に係るリソースプールの取得方法のフローチャートの模式図である。
【図３】本開示の実施形態に係るリソースプールの設定方法のフローチャートの模式図である。
【図４】本開示の実施形態に係る端末の構成の模式図である。
【図５】本開示の実施形態に係るリソースプールの設定装置の構成の模式図である。
【図６】本開示の実施形態に係るネットワーク側装置の構成の模式図である。
【図７】本開示の実施形態に係る端末アーキテクチャの模式図である。
【発明を実施するための形態】
【００１８】
本開示の実施形態が解決しようとする技術問題、技術案および利点を、さらに明らかにするために、以下では、添付の図面および実施形態に基づいて、詳しく説明する。
【００１９】
本開示の実施形態は、異なる設定の端末間の相互干渉を回避することができる、リソースプールの設定方法、使用方法、および設定装置、端末を提供する。本実施形態の技術案は、ｓｉｄｅｌｉｎｋ通信に適用可能であるだけでなく、他の通信システムにも適用可能である。その中で、サイドリンクは直接通信またはダイレクトリンクとも呼ばれ、同じ概念に属し、英語のｓｉｄｅｌｉｎｋに対応する。
【００２０】
異なる通信システムでは、本開示に含まれる信号の名前および略語はそれに応じて変化し、本開示の技術案は、略語が変化した場合でも引き続き適用可能である。
本開示の実施例は、端末に適用されるリソースプールの取得方法を提供し、図２に示すように、前記方法は、
ステップ１０１、事前定義される第１のリソースプールを取得すること、事前設定される第１のリソースプールを取得すること、設定される第１のリソースプールを取得することのうちの少なくとも１つの方式によって第１のリソースプールを取得する。
【００２１】
この実施形態では、端末の第１のリソースプールを事前定義および／または事前設定および／または設定することにより、設定された異なる端末間の相互干渉を回避することができる。
【００２２】
さらに、前記方法は、
センシングプロセスに従って、第１のリソースプールをセンシングすることをさらに含む。
【００２３】
さらに、センシングプロセスに従って、第１のリソースプールをセンシングすることは、
前記第１のリソースプールをＦ回センシングする、または第１の時間窓内で前記第１のリソースプールを最大Ｆ回センシングする、または第１の時間窓内で前記第１のリソースプールを最小Ｆ回センシングすることを含み、第１の時間窓内で前記第１のリソースプールをセンシングすることと、
第１の周期に従って前記第１のリソースプールをセンシングすること、
対応する伝送設定または対応する伝送モードを使用する場合、前記第１のリソースプールのセンシングすること、
他のリソースプールでの伝送が対応する条件を満たす場合、前記第１のリソースプールをセンシングすること、のうちの少なくとも１つを含み、Ｆは正の整数である。
【００２４】
その中、センシングプロセスは、事前定義および／または事前設定および／または設定される第１のリソースプールに対応するプロセスを指す。第１の時間窓は、事前定義および／または事前設定および／または設定されてもよく、第１の周期は、事前定義および／または事前設定および／または設定されてもよく、対応する伝送設定は、事前定義および／または事前設定および／または設定される、第１のリソースプールに対応する伝送設定を指す。対応する伝送モードは、事前定義および／または事前設定および／または設定される、第１のリソースプールに対応する伝送モードを指す。対応する条件は、事前定義および／または事前設定および／または設定される、第１のリソースプールに対応する条件を指す。
【００２５】
さらに、対応する伝送設定または対応する伝送モードは、
ブロードキャストが必要な場合、
ビームスキャンが必要な場合、
接続に失敗した場合、
リソースプールを再設定する場合、
リソースプールを増加する場合、
リソースプールを解放する場合、
準コロケーション情報ＱＣＬ（ｑｕａｓｉ  ｃｏ−ｌｏｃａｔｉｏｎ）が取得できない場合、
要求を満たす同期ソースが見つけられない場合、のうちの少なくとも１つを含む。
【００２６】
さらに、対応する条件は、
ビットエラー率がしきい値よりも高いこと、
ブロックエラー率がしきい値よりも高いこと、
誤警報率Ｆａｌｓｅ  ａｌａｒｍがしきい値を超えていること、
ビーム障害からの回復、
接続失敗からの回復、
接続の再設定、の少なくとも１つを含む。
【００２７】
さらに、前記第１のリソースプールをセンシングすることは、
前記第１のリソースプールにおいて同期すること、
前記第１のリソースプールにおいて測定すること、
前記第１のリソースプールにおいて伝送すること、
前記第１のリソースプールにおいて監視すること、の少なくとも１つを含む。
【００２８】
さらに、前記端末が前記第１のリソースプールにおいて測定する測定量は、
基準信号受信電力ＲＳＲＰ、
基準信号受信品質ＲＳＲＱ、
受信信号強度インジケータＲＳＳＩ、の少なくとも１つを含む。
【００２９】
さらに、前記第１のリソースプールにおいて伝送する内容は、
公安サービス、基礎Ｖ２Ｘサービス、定期的サービス、の少なくとも１つを含む。
【００３０】
さらに、前記第１のリソースプールにおいて伝送する内容は、
ブロードキャストメッセージ、同期信号、他のリソースプールの設定情報、サービスとリソースプール間の対応関係、伝送タイプとリソースプール間の対応関係、検出メッセージ、追加のリソースプール設定情報、および無線リソース制御情報、の少なくとも１つを含む。
【００３１】
ここで、同期信号とリソースプールのリソースの間には対応関係がある。
【００３２】
さらに、前記第１のリソースプールにおいて伝送する内容が他のリソースプールの設定情報を含む場合、前記他のリソースプールの設定情報は、第１の情報ブロック、接続要求、後続のステップのメッセージの少なくとも１つで運ばれる。
【００３３】
さらに、前記第１のリソースプールは、
時間領域リソース、周波数領域リソース、サブキャリア間隔ＳＣＳ、サイクリックプレフィックスＣＰ、帯域幅パートＢＷＰ識別子、セル識別子、キャリア識別子、周波数帯域識別子、変調および符号化方法ＭＣＳ、コードレート、プリコーディング方法、許可された同期ソース識別子、優先順位設定、電力、同期信号ブロック情報、の少なくとも１つを含む。
【００３４】
ここで、ＢＷＰ識別子は、例えば、第１のリソースプールが属するＢＷＰ識別子、または第１のリソースプールに関連する他のリソースプールが属するＢＷＰ識別子などの、第１のリソースプールに対応するＢＷＰ識別子である。セル識別子は、例えば、第１のリソースプールが属するセルの識別子、または第１のリソースプールに関連する他のリソースプールのセル識別子などの、第１のリソースプールに対応するセル識別子である。キャリア識別子は、第１のリソースプールが属するキャリア識別子、または第１のリソースプールに関連する他のリソースプールが属するキャリア識別子などの、第１のリソースプールに対応するキャリア識別子である。帯域識別子は、第１のリソースプールが属する帯域識別子、または第１のリソースプールに関連する他のリソースプールが属する帯域識別子など、第１のリソースプールに対応する帯域識別子である。ここで、第１のリソースプールと第１のリソースプールに関連する他のリソースプールとの間の関連関係は、中の一方が送信に使用され、もう一方が前者におけるメッセージの受信に使用されるとなってもよい。或いは、中の一方がスケジューリング情報の伝送に使用され、もう一方が前者に対応するスケジューリングデータの伝送に使用されるとなってもよい。或いは、中の一方が接続要求の開始に使用され、もう一方が接続要求のフィードバックおよび／または接続成功後の後続のステップのための伝送に使用されるとなってもよい。
【００３５】
さらに、事前定義される第１のリソースプールを取得することと、事前設定された第１のリソースプールを取得することと、設定される第１のリソースプールを取得することとの少なくとも１つの方式で第１のリソースプールを取得し、設定される第１のリソースプールを取得することは、
ネットワーク側装置によって設定される第１のリソースプールを取得することと、
他の端末によって設定される第１のリソースプールを取得することとの少なくとも１つを含む。
【００３６】
さらに、事前定義される第１のリソースプール、ネットワーク側装置によって設定される第１のリソースプール、他の端末によって設定される第１のリソースプール、および事前設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
さらに、前記第１のリソースプールは、少なくとも１つのリソースプールエンティティを含み、前記方法はさらに、
前記第１のリソースプールで使用される少なくとも１つのリソースプールエンティティを決定することを含む。リソースプールエンティティは、リソースプールである可能性もあれば、時間領域および／または周波数領域リソースのコレクションである可能性もある。例えば、１つのリソースプールは複数のサブチャネルに分割される場合がある。第１のリソースプールに１つだけのリソースプールエンティティが含まれる場合、第１のリソースプールもリソースプールエンティティである。第１のリソースプールに複数のリソースプールエンティティが含まれる場合、第１のリソースプールは、同じ特性を持つ１種類のリソースプールエンティティの通称に相当する。
【００３７】
さらに、
事前定義される評価基準、事前設定される評価基準、および設定される評価基準のうちの少なくとも１つに基づいて、前記第１のリソースプールからセンシングされるリソースプールエンティティを選択することと、
ネットワーク側装置および／または他の端末から送信される指示情報に基づいて、第１のリソースプールからセンシングされるリソースプールエンティティを選択することとの少なくとも１つの方式で、前記第１のリソースプールから少なくとも１つのセンシングされるリソースプールエンティティを選択する。
【００３８】
さらに、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質Ｑｏｓ要求の少なくとも１つを含む。
【００３９】
さらに、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む。
【００４０】
ここで、リソースプールエンティティの絶対識別子は、実際に設定されるリソースプールエンティティの数またはリソースプールエンティティの最大数に基づく識別子を指す。Ｍ個のリソースプールエンティティを設定する場合、０からＭ−１または１からＭを、これらのリソースプールエンティティの識別子とする。または、最大Ｍ個のリソースプールエンティティを設定する場合、０からＭ−１または１からＭを、これらのリソースプールエンティティの識別子とする。
【００４１】
さらに、前記第１のリソースプールが他の端末によって設定される場合、前記第１のリソースプールの設定情報は、ｓｉｄｅｌｉｎｋで他の端末によって送信されるサイドリンクマスター情報ブロックおよび／または他のブロードキャストメッセージに運ばれる。
【００４２】
さらに、前記第１のリソースプールは、再設定することができない。例えば、ネットワーク装置が、システム情報および／またはＲＲＣシグナリングを更新したり、および／またはＲＲＣシグナリングを再設定したりすることで、第１のリソースプールを再設定することは許可されない。また、例えば、他の端末が第１のリソースプールを再設定することは許可されない。
【００４３】
さらに、
再設定される第１のリソースプールを取得することを含み、前記再設定される第１のリソースプールは、事前定義される前記第１のリソースプール、事前設定される前記第１のリソースプール、設定される前記第１のリソースプールの少なくとも１つと同じであるか互換性がある。例えば、ネットワーク装置が、システム情報および／またはＲＲＣシグナリングを更新したり、および／またはＲＲＣシグナリングを再設定したりすることで、第１のリソースプールを再設定することは許可されず、当該再設定後の第１のリソースプールは、再設定前の第１のリソースプールと同じであるか互換性がある。また、例えば、他の端末は所属の端末のために第１のリソースプールを再設定し、当該再設定後の第１のリソースプールは、再設定前の第１のリソースプールと同じであるか互換性がある。
【００４４】
互換性は、再設定後の第１のリソースプールの時間領域範囲および／または周波数領域範囲には、再設定前の第１のリソースプールの時間領域範囲および／または周波数領域範囲が含まれる。
【００４５】
さらに、前記第１のリソースプールの識別子は、プロトコルによって事前定義され、および／またはネットワーク側装置によって設定され、および／または他の端末によって設定および／または事前設定される。
【００４６】
さらに、前記第１のリソースプールの識別子は、許可されるリソースプール識別子の最大Ｎ個の値または最小Ｎ個の値であり、ここで、Ｎは１以上である。
【００４７】
さらに、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールを後で使用されるリソースプールとすること、または、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールから少なくとも１つの第２のリソースプールを選択し、後で使用されるリソースプールとし、選択されたリソースプールの識別子を前記リソースプールの設定装置に送信する。
【００４８】
前記リソースプールの設定装置は、ネットワーク側装置または他の端末であり、「および／または」は、接続されるオブジェクトの少なくとも１つを表す。
【００４９】
さらに、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である。例えば、第１のリソースプールのリソースと合計ビーム数の間には対応関係がある。例えば、第１のリソースプールのリソースと合計同期信号ブロック数の間には対応関係がある。
【００５０】
本開示の実施例はまた、リソースプールの設定装置に適用されるリソースプールの設定方法を提供し、図３に示すように、前記方法は、
ステップ２０１：端末の第１のリソースプールを設定する。
【００５１】
この実施形態では、端末の第１のリソースプールを事前定義および／または事前設定および／または設定することにより、異なる設定の異なる端末間の相互干渉を回避することができる。
【００５２】
さらに、前記第１のリソースプールは、
時間領域リソース、周波数領域リソース、サブキャリア間隔ＳＣＳ、サイクリックプレフィックスＣＰ、帯域幅パートＢＷＰ識別子、セル識別子、キャリア識別子、周波数帯域識別、変調および符号化方法ＭＣＳ、コードレート、プリコーディング方法、許可された同期ソース識別子、優先順位設定、電力、同期信号ブロック情報、の少なくとも１つを含む。
【００５３】
さらに、前記リソースプールの設定装置は、ネットワーク側装置および他の端末のうちの少なくとも１つを含む。
【００５４】
さらに、前記第１のリソースプールは、少なくとも１つのリソースプールエンティティを含み、前記方法はさらに、
前記端末が前記第１のリソースプールで使用するリソースプールエンティティを設定する。
【００５５】
さらに、
リソースプールエンティティを選択するための評価基準を設定することと、
前記第１のリソースプールから選択されるリソースプールエンティティを示す指示情報を端末に送信することと、の少なくとも１つに従って、前記端末が前記第１のリソースプールで使用するリソースプールエンティティを選択する。
【００５６】
さらに、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質Ｑｏｓ要求の少なくとも１つを含む。
【００５７】
さらに、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む。
【００５８】
さらに、前記リソースプールの設定装置が他の端末である場合、前記第１のリソースプールの設定情報は、ｓｉｄｅｌｉｎｋで他の端末によって送信されるサイドリンクマスター情報ブロックおよび／または他のブロードキャストメッセージに運ばれる。
【００５９】
さらに、前記第１のリソースプールは、再設定することができない。さらに、
前記端末の第１のリソースプールを再設定し、再設定される第１のリソースプールは、設定される第１のリソースプールと同じであるか互換性がある。
【００６０】
さらに、事前定義される第１のリソースプール、ネットワーク側装置によって設定される第１のリソースプール、他の端末によって設定される第１のリソースプール、および事前設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
【００６１】
さらに、前記第１のリソースプールの識別子は、プロトコルによって事前定義され、および／またはネットワーク側装置によって設定され、および／または他の端末によって設定および／または事前設定される。
【００６２】
さらに、前記第１のリソースプールの識別子は、許可されるリソースプール識別子の最大Ｎ個の値または最小Ｎ個の値であり、ここで、Ｎは１以上である。
【００６３】
さらに、
少なくとも１つの第２のリソースプールの設定情報を前記端末に送信すること、または、
少なくとも１つの第２のリソースプールの設定情報を前記端末に送信し、前記端末から返され、選択される少なくとも１つの第２のリソースプールの識別子を受信することを含む。
【００６４】
さらに、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である。
【００６５】
本開示の技術案では、第１のリソースプールを事前定義および／または事前設定および／または設定し、異なる設定の端末間の相互干渉を回避する。この設計は、ＮＲシステムやｓｉｄｅｌｉｎｋだけでなく、他のサービスや、ＬＴＥ−Ａ通信システムなどの他のシステムでも使用できる。
【００６６】
Ｓｉｄｅｌｉｎｋ伝送とは、ｓｉｄｅｌｉｎｋでの装置から装置（Ｄｅｖｉｃｅ−ｔｏ−Ｄｅｖｉｃｅ、Ｄ２Ｄ）、ビークルツーエブリシング（Ｖｅｈｉｃｌｅ−ｔｏ−Ｅｖｅｒｙｔｈｉｎｇ、Ｖ２Ｘ）などを含むサイドリンクでの通信サービスの少なくとも１つを指すことに留意されたい。その中で、Ｖ２Ｘには主に車車間通信（Ｖｅｈｉｃｌｅ−ｔｏ−Ｖｅｈｉｃｌｅ、略してＶ２Ｖ）、路車間通信（Ｖｅｈｉｃｌｅ−ｔｏ−Ｉｎｆｒａｓｔｍｃｔｕｒｅ、略してＶ２Ｉ）、車ネットワーク間通信（Ｖｅｈｉｃｌｅ−ｔｏ−Ｎｅｔｗｏｒｋ、略してＶ２Ｎ）、および歩行者と車間（Ｖｅｈｉｃｌｅ−ｔｏ−Ｐｅｄｅｓｔｒｉｍ、略してＶ２Ｐ）の少なくとも１つを含む。
【００６７】
当該第１のリソースプールは、プロトコルによって事前定義、および／または端末製造元によって事前設定、および／またはネットワーク側装置によって設定、および／または他の端末によって設定されてもよく、端末が初期、および／またはデフォルト、および／またはパブリック、および／または共有メッセージ（および／またはサービス）伝送を行うためであり、伝送は受信および送信のうちの少なくとも１つを含む。ネットワーク側装置には、基地局、路側機ＲＳＵ、および他のネットワーク装置のうちの少なくとも１つが含まれる。
【００６８】
当該第１のリソースプールは、初期（ｉｎｉｔｉａｌ）リソースプール、デフォルト（ｄｅｆａｕｌｔ）リソースプール、共通（ｃｏｍｍｏｎ）リソースプール、第１の（ｆｉｒｓｔ）リソースプール、共有（ｓｈａｒｅｄ）リソースプール、グローバル（ｇｌｏｂａｌ）リソースプール、フォールバック（ｆａｌｌｂａｃｋ）リソースプールと呼ばれる場合がある。初期（ｉｎｉｔｉａｌ）リソースプール、デフォルト（ｄｅｆａｕｌｔ）リソースプール、共通（ｃｏｍｍｏｎ）リソースプール、共有（ｓｈａｒｅｄ）リソースプール、グローバル（ｇｌｏｂａｌ）リソースプール、フォールバック（ｆａｌｌｂａｃｋ）リソースプールのうちの少なくとも１つとして使用されてもよい。
【００６９】
一、この実施形態では、端末が第１のリソースプールを取得した後、端末は、特定の要件に従って、当該第１のリソースプールをセンシングする必要がある。当該要件は、プロトコルによって事前定義され、事前設定され、ネットワーク側装置によって設定されまたはその他端末によって設定されてもよい。当該要件は、次の少なくとも１つであってもよい：
端末は、少なくとも、Ｐの時間内に第１のリソースプールを、最小Ｆ回、および／または最大Ｆ回、および／またはＦ回、センシングする必要があり、ここで、Ｆは正の整数であること、
端末は、少なくともＰ１の周期で、第１のリソースプールをセンシングする必要があること、
特定の伝送設定または伝送モードのときに第１のリソースプールをセンシングし、たとえば、端末はブロードキャストのときに第１のリソースプールをセンシングする必要があり、またはビーム掃引（Ｂｅａｍ  ｓｗｅｅｐｉｎｇ）が必要なときに第１のリソースプールをセンシングする必要があり、または接続に失敗したときに第１のリソースプールをセンシングする必要があり、またはリソースプールを再設定するときに第１のリソースプールをセンシングする必要があり、またはリソースプールを増やすときに第１のリソースプールをセンシングする必要があり、またはリソースプールを解放するとき、第１のリソースプールをセンシングする必要があり、または準コロケーション情報ＱＣＬ（ｑｕａｓｉ  ｃｏ−ｌｏｃａｔｉｏｎ）を取得できないとき、第１のリソースプールをセンシングする必要があり、または要件を満たす同期ソースを見つけられないとき第１のリソースプールをセンシングする必要があること、
ここで、要件を満たす同期ソースを見つけられないことは、信頼できるｇｎｓｓを見つけられないこと、ｃａｍｐのできるセルを見つけられないこと、適切な（ｓｕｉｔａｂｌｅ）セルを見つけられないこと、測定要件を満たす他の端末および／または装置によって送信される同期信号を見つけられないことのうち、少なくとも１つであってもよい。ここで、測定要件を満たすことは、ＲＳＲＰ、ＲＳＲＱ、ＲＳＳＩなどの測定量の少なくとも１つがしきい値要件を満たさないことであってもよい。
【００７０】
他のリソースプールでの伝送が事前設定された条件を満たす場合、第１のリソースプールをセンシングする必要がある。事前設定された条件には、ビットエラー率がしきい値よりも高いこと、ブロックエラー率がしきい値よりも高いこと、Ｆａｌｓｅ  ａｌａｒｍ（誤警報）がしきい値を超えると、ビーム障害からの回復、接続失敗からの回復、接続の再設定、の少なくとも１つが含まれる。
【００７１】
二、端末が第１のリソースプールをセンシングすることは、
端末は第１のリソースプールと同期され、端末は第１のリソースプールで測定を行い、端末は第１のリソースプールで伝送を行い、端末は第１のリソースプールで監視を行い、伝送は受信と送信の少なくとも１つを含む。
【００７２】
端末が第１のリソースプールで測定する測定量は、基準信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、基準信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）、および受信信号強度表示（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）のうちの少なくとも１つを含む。
【００７３】
三、第１のリソースプールは、時間領域リソース、周波数領域リソース、サブキャリア間隔（ｓｕｂｃａｒｒｉｅｒ  ｓｐａｃｉｎｇ、ＳＣＳ）、サイクリックプレフィックス（Ｃｙｃｌｉｃ  Ｐｒｅｆｉｘ、ＣＰ）、所属帯域幅パート（Ｂａｎｄｗｉｄｔｈ  Ｐａｒｔ、ＢＷＰ）識別子、所属セル識別子、所属キャリア識別子、所属周波数帯域識別子、変調および符号化方法（Ｍｏｄｕｌａｔｉｏｎ  ａｎｄ  Ｃｏｄｉｎｇ  Ｓｃｈｅｍｅ、ＭＣＳ）、コードレート、プリコーディング方法、許可された同期ソース識別子、優先順位設定、スクランブルＩＤ、電力、同期信号ブロック情報、の少なくとも１つを含む。
【００７４】
その中で、時間領域リソースには、周期、時間領域オフセット（Ｆｒａｍｅ／ｓｕｂｆｒａｍｅ／ｓｌｏｔ／ＯＦＤＭシンボルレベル）、占有される時間領域シンボル（ビットマップ）などが含まれる。
【００７５】
周波数領域リソースには、周波数領域の位置、帯域幅などの少なくとも１つが含まれる。
【００７６】
ＣＰには、通常のＣＰと拡張ＣＰの少なくとも１つが含まれる。
【００７７】
所属ＢＷＰ識別子には、少なくとも１つの所属ＢＷＰのＢＷＰ  ＩＤが含まれる。
【００７８】
所属セルの識別子には、少なくとも１つの所属セルのｃｅｌｌ（セル）ＩＤが含まれる。
【００７９】
所属キャリア識別子には、少なくとも１つの所属キャリアのｃａｒｒｉｅｒ  ＩＤが含まれる。
【００８０】
許可された同期ソース識別子は、直接または間接にその同期ソースを使用し同期させる端末が、当該第１のリソースプールを伝送に使用できることを示す。
【００８１】
優先順位設定は、異なる同期ソースおよび／または異なる状態の端末を使用して当該第１のリソースプールで伝送を行うときの優先順位を示す。
【００８２】
スクランブルＩＤは、測定信号シーケンスを生成するためのスクランブルＩＤであり、たとえば、測定シーケンスがｇｏｌｄシーケンスであり、当該ｇｏｌｄシーケンスの初期化は、当該スクランブルＩＤに関連している。
【００８３】
電力は、以下のうちの少なくとも１つを含む：当該第１のリソースプールでの同期信号の送信電力、測定信号の送信電力または同期信号の送信電力に対するｏｆｆｓｅｔ（オフセット）、基準信号の送信電力または同期信号に対する送信電力のｏｆｆｓｅｔ、またはブロードキャストチャネルの送信電力、測定信号の送信電力またはブロードキャストチャネルの送信電力に対するｏｆｆｓｅｔ（オフセット）、基準信号の送信電力またはブロードキャストチャネルの送信電力に対するオフセット。
【００８４】
同期信号ブロック情報は、当該第１のリソースプールでの同期信号ブロックの最大数と、第１のリソースプール上で実際に送信される同期信号ブロックとを含む。
【００８５】
四、当該第１のリソースプールは、プロトコルによって事前定義されること、ネットワーク側装置によって設定されること、他の端末によって設定されること、および事前設定されることの少なくとも１つの方法で端末に設定されてもよい。
【００８６】
ここで、第１のリソースプールは、少なくとも１つのリソースプールエンティティを含む（すなわち、複数のリソースプールを含む可能性があり、第１のリソースプールと通称される）。
【００８７】
オプションで、第１のリソースプールが複数のリソースプールエンティティを含む場合、当該第１のリソースプールを設定された端末は、その中の少なくとも１つのリソースプールエンティティ（第１のリソースプールのサブセットまたはフルセット）で動作することができる。
【００８８】
オプションで、前述の少なくとも１つのリソースプールは、１つのリソースプールのみを含む。
【００８９】
オプションで、前述の少なくとも１つのリソースプールは、以下の方法のうちの少なくとも１つで決定されてもよい：
１、評価基準で決定される。前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質（Ｑｕａｌｉｔｙ  ｏｆ  Ｓｅｒｖｉｃｅ、Ｑｏｓ）要求の少なくとも１つを含む。
【００９０】
当該評価基準は、プロトコルによって事前定義され、事前設定され、ネットワーク側装置によって設定され、または他の端末によって設定されてもよい。
【００９１】
２、ネットワーク側装置および／または他の端末から指示情報を送信され、少なくとも１つのリソースプールエンティティを指示される。当該指示情報の形は、
Ｂｉｔｍａｐ（ビットマップ）、
リソースプールエンティティの絶対識別子、
前記第１のリソースプール内のリソースプールエンティティの総数に対するリソースプールエンティティの相対識別子、
プロトコルによって事前定義され、および／または端末の製造元によって事前設定される少なくとも１つのリソースプールエンティティがあってもよい。
【００９２】
第１のリソースプールが他の端末によって設定される場合、第１のリソースプールの設定情報は、ｓｉｄｅｌｉｎｋで他の端末によって送信されるＭＩＢ−ＳＬ−Ｖ２Ｘおよび／または他のブロードキャストメッセージに運ばれてもよい。
【００９３】
五、当該第１のリソースプールは、ネットワーク側装置および他の端末に再設定できない、または、第１のリソースプールが再設定された場合でも、リソースプールの設定装置は、再設定後の第１のリソースプールの内容が再設定前のものと同じであることを保証する。
【００９４】
六、事前定義される第１のリソースプール、事前設定される第１のリソースプール、および設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
【００９５】
七、第１のリソースプールの識別子は、プロトコルによって事前定義され、および／またはネットワーク側装置によって設定され、および／または他の端末によって設定および／または事前設定される。
【００９６】
オプションで、設定の識別子は、許可されるリソースプール識別子の最大Ｎ個の値または最小Ｎ個の値であり、ここで、Ｎ＞＝１である。
【００９７】
一実施形態では、第１のリソースプールは、１つのリソースプールエンティティを含み、当該リソースプールエンティティＩＤ  ＝第１のリソースプールＩＤ  ＝  ０である。
【００９８】
別の一実施形態では、第１のリソースプールはＭ個のリソースプールエンティティを含み、第１のリソースプールの識別子は許可されるリソースプール識別子の最小のＮ個の値である。Ｎ  ＝  Ｍの場合、Ｍ個のリソースプールエンティティのリソースプール識別子はそれぞれ０、１、２、・・・Ｍ−１に対応する。Ｎ＝１の場合、第１のリソースプールはリソースプール識別子０に対応し、そして相対リソースプール識別子０、１、２、・・・Ｍ−１にも対応する。
【００９９】
八、端末は第１のリソースプールで伝送（送信および／または受信を含む）し、伝送の内容には、
ブロードキャストメッセージ、同期信号、基Ｖ２Ｘサービス、定期的サービス、他のリソースプールの設定情報、サービスとリソースプール間の対応関係、伝送タイプとリソースプール間の対応関係、検出（Ｄｉｓｃｏｖｅｒｙ）情報、追加のリソースプール設定情報、および無線リソース制御情報、の少なくとも１つが含まれる。
【０１００】
ここで、サービスとリソースプールとの間の対応関係は、サービスＩＤ（例えば、ＰＳＩＤ）とリソースプールとの間のマッピングであり得る。例えば、異なるＰＳＩＤは、異なるリソースプールおよび／または異なるリソースプールＩＤに対応する。伝送タイプとリソースプールに対応する関係は、サービス伝送タイプ（たとえば、ブロードキャスト、ユニキャスト、およびマルチキャストの少なくとも１つ）とリソースプールの間のマッピングであり得る。たとえば、異なる伝送タイプは、異なるリソースプールおよび／または異なるリソースプールＩＤに対応する。検出情報は、サービスの検出、および／または他の端末の検出、および／または端末グループの検出などに使用される。ＲＲＣ情報には、ユニキャスト接続要求、応答、再設定などの少なくとも１つが含まれ、マルチキャスト接続要求、応答、再設定などの少なくとも１つが含まれる。
【０１０１】
九、上記の伝送内容に他のリソースプールの設定情報が含まれる場合、当該設定情報は、第１の情報ブロックで運ばれるか、接続要求または後続のステップのメッセージで運ばれる可能性がある。
【０１０２】
十、端末が接続要求の目標受信者側として使用される場合、送信側が接続要求を開始し、リソースプール指示情報（指示情報は単一または複数のリソースプールを示す）を目標受信側に送信すると、目標受信側はその他のリソースプールの設定情報を取得した場合、指示されるリソースプールで後続のステップを実行し、後続のステップは、同期、測定、伝送、監視などのステップを含むがこれらに限定されない。
【０１０３】
或いは
送信側が接続要求を開始し、リソースプール指示情報（指示情報は単一または複数のリソースプールを示す）を目標受信側に送信すると、目標受信側はその他のリソースプールの設定情報を取得した場合、目標受信側は当該指示情報が指示するリソースプールから少なくとも１つのリソースプールを選択し、受信側は上記の少なくとも１つのリソースプールの識別子を送信側にフィードバックし、当該少なくとも１つのリソースプールで後続のステップを実行し、後続のステップは、同期、測定、伝送、監視などのステップを含むがこれらに限定されない。
【０１０４】
十一、端末が受信側として、後で設定されるリソースプールを受信する場合、後で使用するリソースプールを選択するとき、自身のリソースプールと完全に重なるリソースプール、または部分的に重なるリソースプール、または高品質のリソースプールを優先的に選択する。
【０１０５】
上記の重なるとは、時間領域のリソースの重なりおよび／または周波数領域のリソースの重なりを指し、上記の高品質とは、ＲＳＲＰ、ＲＳＳＩ、ＲＳＲＱなどの少なくとも１つの測定結果がしきい値を超えていることを意味する。
【０１０６】
十二、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍であるが、他のリソースプール設定に対してより柔軟である。
【０１０７】
例えば、第１のリソースプールのリソースと合計ビーム数の間には対応関係がある。
【０１０８】
例えば、第１のリソースプールのリソースと合計同期信号ブロック数の間には対応関係がある。
【０１０９】
第１のリソースプールの使用は、実施形態を参照して以下でさらに紹介される。
【０１１０】
（第１の実施形態）
この実施形態では、端末は、第１のリソースプールおよび他のリソースプールを事前定義および／または設定および／または事前設定され、異なるリソースプールは、異なる特定の伝送設定および／または伝送モードに対応し得る。例えば、
ブロードキャストサービスは主に第１のリソースプールで実行されるが、マルチキャストおよびユニキャストサービスは他のリソースプールで実行される。一般に、ブロードキャストサービスは広範囲をカバーする必要があり、多数のビームスキャンが必要になる場合があるが、マルチキャストおよびユニキャストサービスは、特定の１つまたは複数の端末に対してのみ送受信を行うため、通常、少数のビームでカバレッジ要件を満たすことができる。
【０１１１】
したがって、一実施形態では、リソースプールと特定の伝送設定および／または伝送モードの間に対応関係がある。
【０１１２】
ブロードキャストデータの伝送は第１のリソースプールで実行されるが、マルチキャストおよびユニキャストの伝送は他のリソースプールで実行される。
【０１１３】
オプションで、他のリソースプールでの端末がブロードキャスト伝送を行う必要がある場合、端末は第１のリソースプールでブロードキャストの送信と受信を実行するように切り替える。
【０１１４】
オプションで、第１のリソースプールでの端末がユニキャストおよび／またはマルチキャスト伝送を行う必要がある場合、端末は他のリソースプールでユニキャストおよび／またはマルチキャストの送信および受信を実行するように切り替える。
【０１１５】
オプションで、ユニキャストの送受信とマルチキャストの送受信のリソースプールが異なってもよい。
別の一実施形態では、リソースプールとビームスキャンの間に対応関係がある：
第１のリソースプールではビームスキャンの伝送が実行され、他のリソースプールでは、少数のビームのみで伝送カバレッジ要件を満たす伝送が実行され、これらの伝送は、所属の少数のビームのＱＣＬ（準コロケーション）情報に基づく伝送である可能性がある。
【０１１６】
オプションで、他のリソースプールでの端末がビームスキャンを行う必要がある場合、端末は第１のリソースプールでビームスキャンを実行するように切り替える。
【０１１７】
オプションで、第１のリソースプールでの端末が少数のビームのみで伝送カバレッジ要件を満たす場合、端末は他のリソースプールでの対応する伝送に切り替える。
【０１１８】
別の一実施形態では、リソースプールと探索空間の監視方法の間に対応関係がある。
２つの監視方法がある。１つはマッピング監視であり、特定の信号と検索空間の間の対応関係に従って、特定の信号に基づいて、検索空間内の現在の端末が監視する必要がある機会（ｏｃｃａｓｉｏｎ）を確定する。もう１つは設定監視であり、探索空間の設定指示に応じて探索空間で監視する。
【０１１９】
第１のリソースプールでマッピング監視に従って探索空間の監視を実行し、他のリソースプールで、ネットワーク装置および／または他の端末からの指示に基づいて、設定監視を実行する。
【０１２０】
オプションで、他のリソースプールでの端末が専用（ｄｅｄｉｃａｔｅｄ、ｓｐｅｃｉｆｉｃ）の探索空間を設定されることができない、または設定監視を実行する必要がある場合、端末は第１のリソースプールで実行するように切り替える必要がある。
【０１２１】
オプションで、第１のリソースプールでの端末が設定監視を実行するように設定される場合、第１のリソースプールには少なくとも１つの他のリソースプールが含まれる必要がある。
【０１２２】
オプションで、当該特定の信号は、同期信号ブロック、またはＣＳＩ−ＲＳなどのＱＣＬ基準に使用する他の基準信号であってもよい。
【０１２３】
（第２の実施形態）
第１のリソースプールは、フォールバックリソースプールとして使用することができる。例えば、端末は、リソースプールを追加および／または削除および／または再設定され、制御信号設定を追加および／または削除および／または再設定され、同期信号設定を追加および／または削除および／または再設定され、データ信号設定を追加および／または削除および／または再設定されるなかの少なくとも１つの場合において、新しい設定の取得と更新された設定が有効になることとの間に一定の時間差がある。そのため、この期間中に設定される端末は新しい設定を理解または直接適用できないため、端末は新しい設定に基づいて正常に動作できず、第１のリソースプールにフォールバックし送受信する必要がある。
【０１２４】
したがって、一実施形態では、ネットワーク側装置は、端末のリソースプール設定情報を再設定した、例えば、他のリソースプールの時間領域リソースを変更した。本開示では、第１のリソースプールを再設定することはできず、言い換えれば、再設定後も再設定前と同じであるため、再設定後は、端末が第１のリソースプールに切り替えて送受信する必要がある。
【０１２５】
同様に、接続が失敗、たとえば、ユニキャスト接続を確立する要求が失敗、マルチキャスト接続を確立する要求が失敗、ワイヤレスリンク接続を確立する要求が失敗、ビームペアリングを確立する要求が失敗などの少なくとも１つの場合では、端末の信号品質が低いことが原因で失敗する可能性があり、または通常の送受信を続行できないため、比較的安定したリソースプール、つまり第１のリソースプールにフォールバックし送信する必要がある。
【０１２６】
別の一実施形態では、端末は、例えばユニキャスト確立要求などの接続要求を他のリソースプール上のある端末に開始し、要求を開始した端末は、所定の時間内に有効な応答を受信せず、要求は失敗する。本開示では、第１のリソースプールを再設定することはできない。言い換えれば、再設定後も内容は再設定前と同じであるため、接続要求の後、端末は第１のリソースプールに切り替えて送受信する必要がある。
【０１２７】
（第３の実施形態）
第１のリソースプールは、ブロードキャストおよび／またはパブリックおよび／または通常のサービス（メッセージ）の伝送を実行するための共通（ｃｏｍｍｏｎ）リソースプールとして使用できる。たとえば、第１のリソースプールは、公安（ｐｕｂｌｉｃ  ｓａｆｅｔｙ）サービス（メッセージ）、基礎Ｖ２Ｘサービス（メッセージ）、および定期的サービス（メッセージ）の少なくとも１つに使用される。
【０１２８】
したがって、一実施形態では、上記のサービスを実行する必要がある場合、対応する伝送を第１のリソースプールで実行する必要がある。
【０１２９】
高度なＶ２Ｘサービス（ａｄｖａｎｃｅｄ  Ｖ２Ｘ  ｓｅｒｖｉｃｅ）などの他のサービス、例えば、車両編隊、拡張センシング、高度な運転、および遠隔運転（ｖｅｈｉｃｌｅｓ  ｐｌａｔｏｏｎｉｎｇ，  ｅｘｔｅｎｄｅｄ  ｓｅｎｓｏｒｓ，  ａｄｖａｎｃｅｄ  ｄｒｉｖｉｎｇ，  ａｎｄ  ｒｅｍｏｔｅ  ｄｒｉｖｉｎｇ）などの少なくとも１つを実施する場合、対応する伝送は、他のリソースプールで実行する必要がある。
【０１３０】
オプションで、他のリソースプールで他のサービスの伝送を行う端末が、パブリックおよび／または通常のサービス（メッセージ）の伝送を行う必要がある場合、第１のリソースプールで対応する伝送を実行するように切り替える必要がある。
【０１３１】
オプションで、第１のリソースプールでの端末が高度なＶ２Ｘサービスを行う必要がある場合、端末は他のリソースプールで対応する伝送を行うように切り替える必要がある。
【０１３２】
オプションで、さまざまな高度なＶ２Ｘサービスとさまざまなリソースプールの間に対応関係がある。
【０１３３】
図４に示されるように、本開示の実施形態は、端末を提供し、当該端末は、
事前定義される第１のリソースプールを取得することと、事前設定された第１のリソースプールを取得することと、設定される第１のリソースプールを取得することとの少なくとも１つの方式で第１のリソースプールを取得するように構成される取得モジュール３１を備える。
【０１３４】
この実施形態では、端末の第１のリソースプールを事前定義および／または事前設定および／または設定することにより、異なる設定の異なる端末間の相互干渉を回避することができる。
【０１３５】
さらに、
センシングプロセスに従って、前記第１のリソースプールをセンシングするように構成されるセンシングモジュールを備える。
【０１３６】
さらに、前記センシングモジュールは具体的に、
第１の時間窓内で前記第１のリソースプールをＦ回センシングすること、
第１の時間窓内で前記第１のリソースプールを最大Ｆ回センシングすること、
第１の時間窓内で前記第１のリソースプールを最小Ｆ回センシングすること、
第１の周期に従って前記第１のリソースプールをセンシングすること、
対応する伝送設定または対応する伝送モードを使用する場合、前記第１のリソースプールのセンシングすること、
他のリソースプールでの伝送が対応する条件を満たす場合、前記第１のリソースプールをセンシングすること、のうちの少なくとも１つを実行するように構成され、Ｆは正の整数である。
【０１３７】
さらに、対応する伝送設定または対応する伝送モードは、
ブロードキャストが必要な場合、
ビームスキャンが必要な場合、
接続に失敗した場合、
リソースプールを再設定する場合、
リソースプールを増加する場合、
リソースプールを解放する場合、
ＱＣＬ（ｑｕａｓｉ  ｃｏ−ｌｏｃａｔｉｏｎ）が取得できない場合、
要求を満たす同期ソースが見つけられない場合、のうちの少なくとも１つを含む。
【０１３８】
さらに、対応する条件は、
ビットエラー率がしきい値よりも高いこと、
ブロックエラー率がしきい値よりも高いこと、
誤警報率Ｆａｌｓｅ  ａｌａｒｍがしきい値を超えていること、
ビーム障害からの回復、
接続失敗からの回復、
接続の再設定、の少なくとも１つを含む。
【０１３９】
さらに、前記センシングモジュールは具体的に、
前記第１のリソースプールにおいて同期すること、
前記第１のリソースプールにおいて測定すること、
前記第１のリソースプールにおいて伝送すること、
前記第１のリソースプールにおいて監視すること、の少なくとも１つを実行するように構成される。
【０１４０】
さらに、前記端末が前記第１のリソースプールにおいて測定する測定量は、
基準信号受信電力ＲＳＲＰ、
基準信号受信品質ＲＳＲＱ、
受信信号強度インジケータＲＳＳＩ、の少なくとも１つを含む。
【０１４１】
さらに、前記第１のリソースプールにおいて伝送する内容は、
ブロードキャストメッセージ、同期信号、基Ｖ２Ｘサービス、定期的サービス、他のリソースプールの設定情報、サービスとリソースプール間の対応関係、伝送タイプとリソースプール間の対応関係、検出メッセージ、追加のリソースプール設定情報、および無線リソース制御情報、の少なくとも１つが含まれる。
【０１４２】
さらに、前記第１のリソースプールにおいて伝送する内容が他のリソースプールの設定情報を含む場合、前記他のリソースプールの設定情報は、第１の情報ブロック、接続要求、後続のステップのメッセージの少なくとも１つで運ばれる。
【０１４３】
さらに、前記第１のリソースプールは、
時間領域リソース、周波数領域リソース、サブキャリア間隔ＳＣＳ、サイクリックプレフィックスＣＰ、帯域幅パートＢＷＰ識別子、セル識別子、キャリア識別子、周波数帯域識別子、変調および符号化方法ＭＣＳ、コードレート、プリコーディング方法、許可された同期ソース識別子、優先順位設定、電力、同期信号ブロック情報、の少なくとも１つを含む。
【０１４４】
さらに、前記取得モジュールは具体的に、
ネットワーク側装置によって設定される前記第１のリソースプールを取得することと、
他の端末によって設定される前記第１のリソースプールを取得することとの少なくとも１つを実行するように構成される。
【０１４５】
さらに、事前定義される第１のリソースプール、ネットワーク側装置によって設定される第１のリソースプール、他の端末によって設定される第１のリソースプール、および事前設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
【０１４６】
さらに、前記第１のリソースプールは、少なくとも１つのリソースプールエンティティを含み、前記端末はさらに、
前記第１のリソースプールで使用される少なくとも１つのリソースプールエンティティを決定するように構成される決定モジュールを備える。
【０１４７】
さらに、前記決定モジュールは具体的に、
事前定義される評価基準、事前設定される評価基準、および設定される評価基準のうちの少なくとも１つに基づいて、前記第１のリソースプールからセンシングされるリソースプールエンティティを選択することと、
ネットワーク側装置および／または他の端末から送信される指示情報に基づいて、第１のリソースプールからセンシングされるリソースプールエンティティを選択することとの少なくとも１つの方式で、前記第１のリソースプールで使用される少なくとも１つのリソースプールエンティティを決定するように構成される。
【０１４８】
さらに、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質Ｑｏｓ要求の少なくとも１つを含む。
【０１４９】
さらに、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む。
【０１５０】
さらに、第１のリソースプールが他の端末のために設定する場合、前記第１のリソースプールの設定情報は、ｓｉｄｅｌｉｎｋで他の端末によって送信されるサイドリンクマスター情報ブロックおよび／または他のブロードキャストメッセージに運ばれる。
【０１５１】
さらに、前記第１のリソースプールは、再設定することができない。
【０１５２】
さらに、前記取得モジュールは、再設定される第１のリソースプールを取得するように構成され、前記再設定される第１のリソースプールは、事前定義される前記第１のリソースプール、事前設定される前記第１のリソースプール、設定される前記第１のリソースプールの少なくとも１つと同じであるか互換性がある。
【０１５３】
さらに、前記第１のリソースプールの識別子は、プロトコルによって事前定義され、および／またはネットワーク側装置によって設定され、および／または他の端末によって設定および／または事前設定される。
【０１５４】
さらに、前記第１のリソースプールの識別子は、許可されるリソースプール識別子の最大Ｎ個の値または最小Ｎ個の値であり、ここで、Ｎは１以上である。
【０１５５】
さらに、前記取得モジュールは、事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールを後で使用されるリソースプールとする、または、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールから少なくとも１つの第２のリソースプールを選択し、後で使用されるリソースプールとし、選択されたリソースプールの識別子を前記リソースプールの設定装置に送信するように構成され、
前記リソースプールの設定装置は、ネットワーク側装置または他の端末であり、「および／または」は、接続されるオブジェクトの少なくとも１つを表す。
【０１５６】
さらに、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である。
【０１５７】
本開示の実施例はまた、リソースプールの設定装置を提供し、図５に示すように、前記装置は、
端末の第１のリソースプールを設定するように構成される設定モジュール４１を備える。
【０１５８】
この実施形態では、端末の第１のリソースプールを事前定義および／または事前設定および／または設定することにより、異なる設定の異なる端末間の相互干渉を回避することができる。
【０１５９】
さらに、前記第１のリソースプールは、
時間領域リソース、周波数領域リソース、サブキャリア間隔ＳＣＳ、サイクリックプレフィックスＣＰ、帯域幅パートＢＷＰ識別子、セル識別子、キャリア識別子、周波数帯域識別子、変調および符号化方法ＭＣＳ、コードレート、プリコーディング方法、許可された同期ソース識別子、優先順位設定、電力、同期信号ブロック情報、の少なくとも１つを含む。
【０１６０】
さらに、前記リソースプールの設定装置は、ネットワーク側装置および他の端末のうちの少なくとも１つを含む。
【０１６１】
さらに、前記第１のリソースプールは、少なくとも１つのリソースプールエンティティを含み、前記設定モジュールはさらに、前記端末が前記第１のリソースプールで使用するリソースプールエンティティを設定するように構成される。
【０１６２】
さらに、前記設定モジュールは具体的に、
リソースプールエンティティを選択するための評価基準を設定することと、
前記第１のリソースプールから選択されるリソースプールエンティティを示す指示情報を端末に送信することと、の少なくとも１つの方式に従って、前記端末が前記第１のリソースプールで使用するリソースプールエンティティを設定するように構成される。
【０１６３】
さらに、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質Ｑｏｓ要求の少なくとも１つを含む。
【０１６４】
さらに、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む。
【０１６５】
さらに、前記リソースプールの設定装置が他の端末である場合、前記第１のリソースプールの設定情報は、ｓｉｄｅｌｉｎｋで他の端末によって送信されるサイドリンクマスター情報ブロックおよび／または他のブロードキャストメッセージに運ばれる。
【０１６６】
さらに、前記第１のリソースプールは、再設定することができない。
【０１６７】
さらに、
前記端末の第１のリソースプールを再設定するように構成される再設定モジュールを備え、再設定される第１のリソースプールは、設定される第１のリソースプールと同じであるか互換性がある。
【０１６８】
さらに、事前定義される第１のリソースプール、ネットワーク側装置によって設定される第１のリソースプール、他の端末によって設定される第１のリソースプール、および事前設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
【０１６９】
さらに、前記第１のリソースプールの識別子は、プロトコルによって事前定義され、および／またはネットワーク側装置によって設定され、および／または他の端末によって設定および／または事前設定される。
【０１７０】
さらに、前記第１のリソースプールの識別子は、許可されるリソースプール識別子の最大Ｎ個の値または最小Ｎ個の値であり、ここで、Ｎは１以上である。
【０１７１】
さらに、
少なくとも１つの第２のリソースプールの設定情報を前記端末に送信する、または、
少なくとも１つの第２のリソースプールの設定情報を前記端末に送信し、前記端末から返され、選択される少なくとも１つの第２のリソースプールの識別子を受信するように構成される送信モジュールを備える。
【０１７２】
さらに、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である。
【０１７３】
本開示の実施形態はまた、前述の実施形態におけるリソースプールの設定方法の詳細を実現し、同じ効果を達成することができるリソースプールの設定装置を提供する。リソースプールの設定装置は、ネットワーク側装置或いは端末であってもよい。
【０１７４】
図６に示すように、リソースプールの設定装置がネットワーク側装置である場合、ネットワーク側装置５００は、プロセッサ５０１、トランシーバ５０２、メモリ５０３、ユーザインターフェース５０４、およびバスインターフェースを含み、
本開示の実施形態では、ネットワーク側装置５００はさらに、メモリ５０３に格納され、プロセッサ５０１上で実行されるコンピュータプログラムを備え、コンピュータプログラムがプロセッサ５０１によって実行されると、端末の第１のリソースプールを設定するステップが実行される。
【０１７５】
図６に示すバスアーキテクチャは、任意の数の相互に接続するバスおよびブリッジを含み得る。具体的には、プロセッサ５０１が代表する１つまたは複数のプロセッサによって、メモリ５０３が代表する各回路と接続する。また、バスアーキテクチャは、周辺装置や、レギュレータ、電力管理回路などのさまざまな他の電気回路と接続してもよい。これらはすべて周知の技術であるため、ここでは説明を省略する。バスインターフェースは、インターフェースを提供する。トランシーバ５０２は複数の素子であってもよい。すなわち、送信器と、受信器と、を含み、伝送媒体で多種な他の装置と通信するためのユニットを提供する。異なるユーザ装置に対して、ユーザインターフェース５０４は、必要な装置を外部または内部から接続可能なインターフェースとすることができる。接続する装置は、キーパッド、ディスプレイ、スピーカー、マイクロフォン、ジョイスティックなどを含むが、これらに限定されない。
【０１７６】
プロセッサ５０１は、バスアーキテクチャと一般的な処理の管理の役割を担う。メモリ５０３は、プロセッサ５０１の実行時に使用したデータを格納することができる。
【０１７７】
さらに、前記第１のリソースプールは、
時間領域リソース、周波数領域リソース、サブキャリア間隔ＳＣＳ、サイクリックプレフィックスＣＰ、帯域幅パートＢＷＰ識別子、セル識別子、キャリア識別子、周波数帯域識別子、変調および符号化方法ＭＣＳ、コードレート、プリコーディング方法、許可された同期ソース識別子、優先順位設定、電力、同期信号ブロック情報、の少なくとも１つを含む。
【０１７８】
さらに、前記リソースプールの設定装置は、ネットワーク側装置および他の端末のうちの少なくとも１つを含む。
【０１７９】
さらに、前記第１のリソースプールは、少なくとも１つのリソースプールエンティティを含み、コンピュータプログラムがプロセッサ５０１によって実行されると、
前記端末が前記第１のリソースプールで使用するリソースプールエンティティを設定するステップがさらに実行される。
【０１８０】
さらに、コンピュータプログラムがプロセッサ５０１によって実行されると、
リソースプールエンティティを選択するための評価基準を設定することと、
前記第１のリソースプールから選択されるリソースプールエンティティを示す指示情報を端末に送信することとのステップがさらに実行される。
【０１８１】
さらに、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質Ｑｏｓ要求の少なくとも１つを含む。
【０１８２】
さらに、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む。
【０１８３】
さらに、前記リソースプールの設定装置が他の端末である場合、前記第１のリソースプールの設定情報は、ｓｉｄｅｌｉｎｋで他の端末によって送信されるサイドリンクマスター情報ブロックおよび／または他のブロードキャストメッセージに運ばれる。
【０１８４】
さらに、前記第１のリソースプールは、再設定することができない。
【０１８５】
さらに、コンピュータプログラムがプロセッサ５０１によって実行されると、
前記端末の第１のリソースプールを再設定するステップがさらに実行され、再設定される第１のリソースプールは、設定される第１のリソースプールと同じであるか互換性がある。
【０１８６】
さらに、事前定義される第１のリソースプール、ネットワーク側装置によって設定される第１のリソースプール、他の端末によって設定される第１のリソースプール、および事前設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
【０１８７】
さらに、前記第１のリソースプールの識別子は、プロトコルによって事前定義され、および／またはネットワーク側装置によって設定され、および／または他の端末によって設定および／または事前設定される。
【０１８８】
さらに、前記第１のリソースプールの識別子は、許可されるリソースプール識別子の最大Ｎ個の値または最小Ｎ個の値であり、ここで、Ｎは１以上である。
【０１８９】
さらに、コンピュータプログラムがプロセッサ５０１によって実行されると、
少なくとも１つの第２のリソースプールの設定情報を前記端末に送信すること、
少なくとも１つの第２のリソースプールの設定情報を前記端末に送信し、前記端末から返され、選択される少なくとも１つの第２のリソースプールの識別子を受信することのステップがさらに実行される。
【０１９０】
さらに、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である。
【０１９１】
リソース設定装置が端末である場合、図７に示されるように、当該端末６００は、無線周波数ユニット６０１、ネットワークモジュール６０２、オーディオ出力ユニット６０３、入力ユニット６０４、センサー６０５、表示ユニット６０６、ユーザ入力ユニット６０７、インターフェースユニット６０８、メモリ６０９、プロセッサ６１０、および電源６１１などのコンポネントを備えるが、これらに限定されない。当業者は、図７に示される端末の構造が端末装置に対する制限を構成せず、端末装置が図に示されるよりも多いまたは少ないコンポネント、または特定のコンポネントの組み合わせ、または異なるコンポネントの配置を備えてもよいことを理解することができる。本開示の実施形態において、端末は、携帯電話、タブレット、ノートパソコン、携帯情報端末、車載端末、ウェアラブル端末、および歩数計などを含むが、これらに限定されない。
【０１９２】
前記プロセッサ６１０は、端末の第１のリソースプールを設定するように構成される。
さらに、前記第１のリソースプールは、
時間領域リソース、周波数領域リソース、サブキャリア間隔ＳＣＳ、サイクリックプレフィックスＣＰ、帯域幅パートＢＷＰ識別子、セル識別子、キャリア識別子、周波数帯域識別子、変調および符号化方法ＭＣＳ、コードレート、プリコーディング方法、許可された同期ソース識別子、優先順位設定、電力、同期信号ブロック情報、の少なくとも１つを含む。
【０１９３】
さらに、前記リソースプールの設定装置は、ネットワーク側装置および他の端末のうちの少なくとも１つを含む。
【０１９４】
さらに、前記第１のリソースプールは、少なくとも１つのリソースプールエンティティを含み、コンピュータプログラムがプロセッサ６１０によって実行されると、
前記端末が前記第１のリソースプールで使用するリソースプールエンティティを設定するステップがさらに実行される。
【０１９５】
さらに、コンピュータプログラムがプロセッサ６１０によって実行されると、
リソースプールエンティティを選択するための評価基準を設定することと、
前記第１のリソースプールから選択されるリソースプールエンティティを示す指示情報を端末に送信することと、の少なくとも１つの方式に従って、前記端末が前記第１のリソースプールで使用するリソースプールエンティティを設定するように構成される。
【０１９６】
さらに、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質Ｑｏｓ要求の少なくとも１つを含む。
【０１９７】
さらに、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む。
【０１９８】
さらに、前記リソースプールの設定装置が他の端末である場合、前記第１のリソースプールの設定情報は、ｓｉｄｅｌｉｎｋで他の端末によって送信されるサイドリンクマスター情報ブロックおよび／または他のブロードキャストメッセージに運ばれる。
【０１９９】
さらに、前記第１のリソースプールは、再設定することができない。
【０２００】
さらに、コンピュータプログラムがプロセッサ６１０によって実行されると、
前記端末の第１のリソースプールを再設定するステップがさらに実行され、再設定される第１のリソースプールは、設定される第１のリソースプールと同じであるか互換性がある。
【０２０１】
さらに、事前定義される第１のリソースプール、ネットワーク側装置によって設定される第１のリソースプール、他の端末によって設定される第１のリソースプール、および事前設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
【０２０２】
さらに、前記第１のリソースプールの識別子は、プロトコルによって事前定義され、および／またはネットワーク側装置によって設定され、および／または他の端末によって設定および／または事前設定される。
【０２０３】
さらに、前記第１のリソースプールの識別子は、許可されるリソースプール識別子の最大Ｎ個の値または最小Ｎ個の値であり、ここで、Ｎは１以上である。
【０２０４】
さらに、コンピュータプログラムがプロセッサ６１０によって実行されると、
少なくとも１つの第２のリソースプールの設定情報を前記端末に送信すること、または、
少なくとも１つの第２のリソースプールの設定情報を前記端末に送信し、前記端末から返され、選択される少なくとも１つの第２のリソースプールの識別子を受信することとのステップが実行される。
【０２０５】
さらに、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である。
【０２０６】
本開示の実施形態では、無線周波数ユニット６０１は、情報の送受信または通話中で、信号を送受信するように構成されることを理解されたい。具体的には、基地局からの下りデータを受信した後、プロセッサ６１０に渡して処理し、また、上りデータを基地局に送信する。通常、無線周波数ユニット６０１は、アンテナ、少なくとも１つの増幅器、トランシーバ、カプラ、低雑音増幅器、デュプレクサなどを含むが、これらに限定されない。また、無線周波数ユニット６０１は、無線通信システムを介してネットワークおよびその他の装置と通信することができる。
【０２０７】
端末は、ユーザが電子メールを送受信したり、Ｗｅｂページを閲覧したり、ストリーミングメディアにアクセスしたりするのを支援するなど、ネットワークモジュール６０２を介してワイヤレスのブロードバンドインターネットアクセスをユーザに提供する。
【０２０８】
音声出力ユニット６０３は、無線周波数ユニット６０１またはネットワークモジュール６０２から受信した音声データまたは、メモリ６０９に保存されている音声データを音声信号に変換して音声に出力することができる。さらに、オーディオ出力ユニット６０３はまた、端末６００によって実行される特定の機能（例えば、呼信号の受信音、メッセージ受信音など）に関連するオーディオ出力を提供することができる。音声出力ユニット６０３は、スピーカー、ブザー、受話器などを含む。
【０２０９】
入力ユニット６０４は、オーディオまたはビデオ信号を受信するように構成される。入力ユニット６０４は、グラフィックプロセッサ（Ｇｒａｐｈｉｃｓ  Ｐｒｏｃｅｓｓｉｎｇ  Ｕｎｉｔ、ＧＰＵ）６０４１およびマイク６０４２を備えてもよい。グラフィックプロセッサ６０４１は、ビデオキャプチャモードまたは画像キャプチャモードで画像キャプチャ装置（カメラなど）によって取得される静止画像またはビデオの画像データを処理する。処理された画像フレームは、表示ユニット６０６上に表示することができる。グラフィックプロセッサ６０４１によって処理された画像フレームは、メモリ６０９（または他の記憶媒体）に格納されてもよいか、または無線周波数ユニット６０１或いはネットワークモジュール６０２を介して送信されてもよい。マイク６０４２は、音声を受信して、このような音声を音声データに処理することができる。処理後の可聴周波数データは、電話通話モードで無線周波数セル６０１を通して移動通信基地局に発送できる様式を転換して出力することもできる。
【０２１０】
端末６００はさらに、少なくとも１つのセンサー６０５（光センサー、人感センサーおよびその他のセンサーなど）を含む。具体的に、光センサーは環境光センサーおよび近接センサーを含む。そのうち、環境光センサーは、環境光の明るさによって表示パネル６０６１の明るさを調整することができる。近接センサーは、端末６００が耳元に移動するときに表示パネル６０６１および／またはバックライトをオフにすることができる。人感センサーの１つとして、加速度センサーは各方向（一般的には３軸）の加速度の大きさ、静止時の重力の大きさと方向を測定可能で、端末の姿勢識別（画面の縦向き／横向きの切り替え、関連ゲーム、磁気センサーの姿勢校正など）、振動による関連機能の識別などに使用可能である。さらに、センサー６０５は、指紋センサー、圧力センサー、虹彩センサー、分子センサー、ジャイロスコープ、気圧計、湿度計、温度計、赤外線センサーなどを含み得る。
【０２１１】
表示ユニット６０６は、ユーザによって入力される情報またはユーザに提供される情報を表示するように構成される。表示ユニット６０６は、表示パネル６０６１を備えてもよい。表示パネル６０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で構成されてもよい。
【０２１２】
ユーザ入力ユニット６０７は、入力される数値または文字情報を受信したり、端末のユーザ設定および機能制御に関連するキー信号入力を生成したりするように構成される。具体的に、ユーザ入力ユニット６０７は、タッチパネル６０７１およびその他の入力装置６０７２を含む。タッチパネル６０７１は、タッチスクリーンとも呼ばれ、タッチパネル６０７１またはその近くでのユーザのタッチ操作（たとえば、ユーザは指やスタイラスペンなどの適切なオブジェクトやアクセサリを使用してタッチパネル６０７１またはタッチパネル６０７１の近くでの操作）を収集できる。タッチパネル６０７１は、タッチ検出装置およびタッチコントローラの２つの部分を含んでもよい。ここで、タッチ検出装置は、ユーザのタッチ方向および位置を検出し、タッチ操作によってもたらされる信号を検出し、その信号をタッチコントローラに送信する。タッチコントローラは、タッチ検出装置からタッチ情報を受信し、それをタッチポイントの座標に変換してプロセッサ６１０に送信し、プロセッサ６１０によって送信される命令を受信して実行する。さらに、タッチパネル６０７１は、抵抗式、電気容量式、赤外線、および表面音波などの様々なタイプで実現することができる。タッチパネル６０７１に加えて、ユーザ入力ユニット６０７はまた、他の入力装置６０７２を含み得る。具体的には、他の入力装置６０７２は、物理キーボード、機能キー（ボリューム制御キー、スイッチキーなど）、トラックボール、マウス、およびジョイスティックを含み得るが、これらに限定されない。詳細がここで再び記述されることはない。
【０２１３】
さらに、タッチパネル６０７１は、表示パネル６０６１を覆ってもよい。タッチパネル６０７１は、その上または近くでのタッチ操作を検出すると、タッチイベントのタイプを決定するように、それをプロセッサ６１０に送信する。その後、プロセッサ６１０はタッチイベントのタイプに従い、対応する視覚的出力を表示パネル６０６１に提供する。図７では、タッチパネル６０７１および表示パネル６０６１は、２つの独立したコンポネントとして端末の入力および出力機能を実装するが、いくつかの実施形態では、タッチパネル６０７１および表示パネル６０６１を集積して端末の入力および出力機能を実装してもよく、ここでは特に限定されない。
【０２１４】
インターフェースユニット６０８は、外部が端末装置６００と接続するためのインターフェースである。たとえば、外部装置には、有線または無線のヘッドセットポート、外部電源（またはバッテリー充電器）ポート、有線または無線のデータポート、メモリカードポート、識別モジュールを備える装置に接続するためのポート、オーディオ入力／出力（Ｉ／Ｏ）、ビデオＩ／Ｏポート、イヤフォンポートなど含んでもよい。インターフェースユニット６０８は、外部装置からの入力（例えば、データ情報、電力など）を受信し、受信した入力を端末６００における１つ以上の要素に伝送するために使用されることができ、または端末６００と外部装置との間でデータを伝送するために使用されることができる。
【０２１５】
メモリ６０９は、ソフトウェアプログラムおよび様々なデータを格納するために使用され得る。メモリ６０９は、主にプログラム記憶領域およびデータ記憶領域を含むことができ、プログラム記憶領域が、操作システム、少なくとも１つの機能（音声再生機能、画像再生機能など）に必要なアプリケーションプログラムなどを収納でき、データ記憶領域が、携帯電話の使用により作成されたデータ（音声データ、電話帳など）を収納できる。また、メモリ６０９は、高速ランダムアクセスメモリを含み得、少なくとも１つのディスクメモリ、フラッシュメモリ、他の揮発性ソリッドステートメモリなどの非揮発性メモリをさらに含み得る。
【０２１６】
プロセッサ６１０は、端末の制御センターであり、様々なインターフェースおよび回線で端末全体の各部を接続し、メモリ６０９に格納されたソフトウェアプログラムおよび／またはモジュールを運行または実行すること、及びメモリ６０９に格納されたデータを呼び出すことによって、端末の各種機能とデータの処理を実行し、端末全体をセンシングする。プロセッサ６１０は、１つ以上の処理ユニットを含み得、オプションで、プロセッサ６１０はアプリケーションプロセッサおよびモデムプロセッサを集成することができ、アプリケーションプロセッサは主に操作システム、ユーザインターフェース、およびアプリケーションプログラムなどを処理し、モデムプロセッサは主に無線通信を処理する。上記のモデムプロセッサは、プロセッサ６１０に集成されなくてもよいと理解され得る。
【０２１７】
端末６００は各部品に電力を供給する電源６１１（バッテリーなど）をさらに含み得、オプションで、電源６１１は電源管理システムを介してプロセッサ６１０に論理的に接続することができ、電源管理システムを介して充放電管理、および電力消費管理等の機能を実現する。
【０２１８】
なお、端末６００は、示されていないいくつかの機能モジュールを含む。詳細がここで再び記述されることはない。
本開示の実施形態はまた、前述の実施形態におけるリソースプールの取得方法の詳細を実現し、同じ効果を達成することができる端末を提供する。
【０２１９】
図７に示すように、端末６００は、無線周波数ユニット６０１、ネットワークモジュール６０２、オーディオ出力ユニット６０３、入力ユニット６０４、センサー６０５、表示ユニット６０６、ユーザ入力ユニット６０７、インターフェースユニット６０８、メモリ６０９、プロセッサ６１０、および電源６１１などのコンポネントを備えるが、これらに限定されない。当業者は、図７に示される端末の構造が端末装置に対する制限を構成せず、端末装置が図に示されるよりも多いまたは少ないコンポネント、または特定のコンポネントの組み合わせ、または異なるコンポネントの配置を備えてもよいことを理解することができる。本開示の実施形態において、端末は、携帯電話、タブレット、ノートパソコン、携帯情報端末、車載端末、ウェアラブル端末、および歩数計などを含むが、これらに限定されない。
【０２２０】
前記プロセッサ６１０は、事前定義される前記第１のリソースプールを取得することと、事前設定される前記第１のリソースプールを取得することと、設定される第１のリソースプールを取得することとの少なくとも１つの方式で第１のリソースプールを取得するように構成される。
【０２２１】
さらに、前記プロセッサ６１０は、センシングプロセスに従って、第１のリソースプールをセンシングするように構成される。
【０２２２】
さらに、センシングプロセスに従って、第１のリソースプールをセンシングすることは、
第１の時間窓内で前記第１のリソースプールをＦ回センシングすること、
第１の時間窓内で前記第１のリソースプールを最大Ｆ回センシングすること、
第１の時間窓内で前記第１のリソースプールを最小Ｆ回センシングすること、
第１の周期に従って前記第１のリソースプールをセンシングすること、
対応する伝送設定または対応する伝送モードを使用する場合、前記第１のリソースプールのセンシングすること、
他のリソースプールでの伝送が対応する条件を満たす場合、前記第１のリソースプールをセンシングすること、のうちの少なくとも１つを実行するように構成され、Ｆは正の整数である。
【０２２３】
さらに、対応する伝送設定または対応する伝送モードは、
ブロードキャストが必要な場合、
ビームスキャンが必要な場合、
接続に失敗した場合、
リソースプールを再設定する場合、
リソースプールを増加する場合、
リソースプールを解放する場合、
ＱＣＬ（ｑｕａｓｉ  ｃｏ−ｌｏｃａｔｉｏｎ）が取得できない場合、
要求を満たす同期ソースが見つけられない場合、のうちの少なくとも１つを含む。
【０２２４】
さらに、対応する条件は、
ビットエラー率がしきい値よりも高いこと、
ブロックエラー率がしきい値よりも高いこと、
誤警報率Ｆａｌｓｅ  ａｌａｒｍがしきい値を超えていること、
ビーム障害からの回復、
接続失敗からの回復、
接続の再設定、の少なくとも１つを含む。
【０２２５】
さらに、前記第１のリソースプールをセンシングすることは、
前記第１のリソースプールにおいて同期すること、
前記第１のリソースプールにおいて測定すること、
前記第１のリソースプールにおいて伝送すること、
前記第１のリソースプールにおいて監視すること、の少なくとも１つを実行するように構成される。
【０２２６】
さらに、前記端末が前記第１のリソースプールにおいて測定する測定量は、
基準信号受信電力ＲＳＲＰ、基準信号受信品質ＲＳＲＱ、受信信号強度インジケータＲＳＳＩ、の少なくとも１つを含む。
【０２２７】
さらに、前記第１のリソースプールにおいて伝送する内容は、
ブロードキャストメッセージ、同期信号、基Ｖ２Ｘサービス、定期的サービス、他のリソースプールの設定情報、サービスとリソースプール間の対応関係、伝送タイプとリソースプール間の対応関係、検出（Ｄｉｓｃｏｖｅｒｙ）情報、追加のリソースプール設定情報、および無線リソース制御情報、の少なくとも１つが含まれる。
【０２２８】
さらに、前記第１のリソースプールにおいて伝送する内容が他のリソースプールの設定情報を含む場合、前記他のリソースプールの設定情報は、第１の情報ブロック、接続要求、後続のステップのメッセージの少なくとも１つで運ばれる。
【０２２９】
さらに、前記第１のリソースプールは、
時間領域リソース、周波数領域リソース、サブキャリア間隔ＳＣＳ、サイクリックプレフィックスＣＰ、帯域幅パートＢＷＰ識別子、セル識別子、キャリア識別子、周波数帯域識別子、変調および符号化方法ＭＣＳ、コードレート、プリコーディング方法、許可された同期ソース識別子、優先順位設定、電力、同期信号ブロック情報、の少なくとも１つを含む。
【０２３０】
さらに、事前定義される第１のリソースプールを取得することと、事前設定された第１のリソースプールを取得することと、設定される第１のリソースプールを取得することとの少なくとも１つの方式で第１のリソースプールを取得し、設定される第１のリソースプールを取得することは、
ネットワーク側装置によって設定される前記第１のリソースプールを取得することと、
他の端末によって設定される前記第１のリソースプールを取得することとの少なくとも１つを含む。
【０２３１】
さらに、事前定義される第１のリソースプール、ネットワーク側装置によって設定される第１のリソースプール、他の端末によって設定される第１のリソースプール、および事前設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む。
【０２３２】
さらに、前記第１のリソースプールは、少なくとも１つのリソースプールエンティティを含み、前記プロセッサ６１０はさらに、前記第１のリソースプールで使用される少なくとも１つのリソースプールエンティティを決定するように構成される。
【０２３３】
さらに、
事前定義される評価基準、事前設定される評価基準、および設定される評価基準のうちの少なくとも１つに基づいて、前記第１のリソースプールからセンシングされるリソースプールエンティティを選択することと、
ネットワーク側装置および／または他の端末から送信される指示情報に基づいて、第１のリソースプールからセンシングされるリソースプールエンティティを選択することとの少なくとも１つの方式で、前記第１のリソースプールで使用される少なくとも１つのリソースプールエンティティを決定する。
【０２３４】
さらに、前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのＣＰ、リソースプールエンティティの通信距離、リソースプールエンティティの電力制限、およびリソースプールエンティティのサービス品質Ｑｏｓ要求の少なくとも１つを含む。
【０２３５】
さらに、前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む。
【０２３６】
さらに、第１のリソースプールが他の端末のために設定する場合、前記第１のリソースプールの設定情報は、ｓｉｄｅｌｉｎｋで他の端末によって送信されるサイドリンクマスター情報ブロックおよび／または他のブロードキャストメッセージに運ばれる。
【０２３７】
さらに、前記第１のリソースプールは、再設定することができない。
【０２３８】
さらに、前記プロセッサ６１０は、再設定される第１のリソースプールを取得するように構成され、前記再設定される第１のリソースプールは、事前定義される前記第１のリソースプール、事前設定される前記第１のリソースプール、設定される前記第１のリソースプールの少なくとも１つと同じであるか互換性がある。
【０２３９】
さらに、前記第１のリソースプールの識別子は、プロトコルによって事前定義され、および／またはネットワーク側装置によって設定され、および／または他の端末によって設定および／または事前設定される。
【０２４０】
さらに、前記第１のリソースプールの識別子は、許可されるリソースプール識別子の最大Ｎ個の値または最小Ｎ個の値であり、ここで、Ｎは１以上である。
【０２４１】
さらに、前記プロセッサ６１０は、事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールを後で使用されるリソースプールとする、または、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールから少なくとも１つの第２のリソースプールを選択し、後で使用されるリソースプールとし、選択されたリソースプールの識別子を前記リソースプールの設定装置に送信するように構成され、
前記リソースプールの設定装置は、ネットワーク側装置または他の端末であり、「および／または」は、接続されるオブジェクトの少なくとも１つを表す。
【０２４２】
さらに、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である。
【０２４３】
本開示の実施形態では、無線周波数ユニット６０１は、情報の送受信または通話中で、信号を送受信するように構成されることを理解されたい。具体的には、基地局からの下りデータを受信した後、プロセッサ６１０に渡して処理し、また、上りデータを基地局に送信する。通常、無線周波数ユニット６０１は、アンテナ、少なくとも１つの増幅器、トランシーバ、カプラ、低雑音増幅器、デュプレクサなどを含むが、これらに限定されない。また、無線周波数ユニット６０１は、無線通信システムを介してネットワークおよびその他の装置と通信することができる。
【０２４４】
端末は、ユーザが電子メールを送受信したり、Ｗｅｂページを閲覧したり、ストリーミングメディアにアクセスしたりするのを支援するなど、ネットワークモジュール６０２を介してワイヤレスのブロードバンドインターネットアクセスをユーザに提供する。
【０２４５】
音声出力ユニット６０３は、無線周波数ユニット６０１またはネットワークモジュール６０２から受信した音声データまたは、メモリ６０９に保存されている音声データを音声信号に変換して音声に出力することができる。さらに、オーディオ出力ユニット６０３はまた、端末６００によって実行される特定の機能（例えば、呼信号の受信音、メッセージ受信音など）に関連するオーディオ出力を提供することができる。音声出力ユニット６０３は、スピーカー、ブザー、受話器などを含む。
【０２４６】
入力ユニット６０４は、オーディオまたはビデオ信号を受信するように構成される。入力ユニット６０４は、グラフィックプロセッサ（Ｇｒａｐｈｉｃｓ  Ｐｒｏｃｅｓｓｉｎｇ  Ｕｎｉｔ、ＧＰＵ）６０４１およびマイク６０４２を備えてもよい。グラフィックプロセッサ６０４１は、ビデオキャプチャモードまたは画像キャプチャモードで画像キャプチャ装置（カメラなど）によって取得される静止画像またはビデオの画像データを処理する。処理された画像フレームは、表示ユニット６０６上に表示することができる。グラフィックプロセッサ６０４１によって処理された画像フレームは、メモリ６０９（または他の記憶媒体）に格納されるか、または無線周波数ユニット６０１或いはネットワークモジュール６０２を介して送信されてもよい。マイク６０４２は声音を受信して、またその音声を可聴周波数データに処理することもできる。処理されたオーディオデータは、電話の通話モードで、無線周波数ユニット６０１を介して移動通信基地局に送信できるフォーマットに変換して出力することができる。
【０２４７】
端末６００はさらに、少なくとも１つのセンサー６０５（光センサー、人感センサーおよびその他のセンサーなど）を含む。具体的に、光センサーは環境光センサーおよび近接センサーを含む。そのうち、環境光センサーは、環境光の明るさによって表示パネル６０６１の明るさを調整することができる。近接センサーは、端末６００が耳元に移動するときに表示パネル６０６１および／またはバックライトをオフにすることができる。人感センサーの１つとして、加速度センサーは各方向（一般的には３軸）の加速度の大きさ、静止時の重力の大きさと方向を測定可能で、端末の姿勢識別（画面の縦向き／横向きの切り替え、関連ゲーム、磁気センサーの姿勢校正など）、振動による関連機能の識別などに使用可能である。さらに、センサー６０５は、指紋センサー、圧力センサー、虹彩センサー、分子センサー、ジャイロスコープ、気圧計、湿度計、温度計、赤外線センサーなどを含み得る。
【０２４８】
表示ユニット６０６は、ユーザによって入力される情報またはユーザに提供される情報を表示するように構成される。表示ユニット６０６は、表示パネル６０６１を備えてもよい。表示パネル６０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で構成されてもよい。
【０２４９】
ユーザ入力ユニット６０７は、入力される数値または文字情報を受信したり、端末のユーザ設定および機能制御に関連するキー信号入力を生成したりするように構成される。具体的に、ユーザ入力ユニット６０７は、タッチパネル６０７１およびその他の入力装置６０７２を含む。タッチパネル６０７１は、タッチスクリーンとも呼ばれ、タッチパネル６０７１またはその近くでのユーザのタッチ操作（たとえば、ユーザは指やスタイラスペンなどの適切なオブジェクトやアクセサリを使用してタッチパネル６０７１またはタッチパネル６０７１の近くでの操作）を収集できる。タッチパネル６０７１は、タッチ検出装置およびタッチコントローラの２つの部分を含み得る。ここで、タッチ検出装置は、ユーザのタッチ方向および位置を検出し、タッチ操作によってもたらされる信号を検出し、その信号をタッチコントローラに送信する。タッチコントローラは、タッチ検出装置からタッチ情報を受信し、それをタッチポイントの座標に変換してプロセッサ６１０に送信し、プロセッサ６１０によって送信される命令を受信して実行する。さらに、タッチパネル６０７１は、抵抗式、電気容量式、赤外線、および表面音波などの様々なタイプで実現することができる。タッチパネル６０７１に加えて、ユーザ入力ユニット６０７はまた、他の入力装置６０７２を含み得る。具体的には、他の入力装置６０７２は、物理キーボード、機能キー（ボリューム制御キー、スイッチキーなど）、トラックボール、マウス、およびジョイスティックを含み得るが、これらに限定されない。詳細がここで再び記述されることはない。
【０２５０】
さらに、タッチパネル６０７１は、表示パネル６０６１を覆ってもよい。タッチパネル６０７１は、その上または近くでのタッチ操作を検出すると、タッチイベントのタイプを決定するように、それをプロセッサ６１０に送信する。その後、プロセッサ６１０はタッチイベントのタイプに従い、対応する視覚的出力を表示パネル６０６１に提供する。図７では、タッチパネル６０７１および表示パネル６０６１は、２つの独立したコンポネントとして端末の入力および出力機能を実装するが、いくつかの実施形態では、タッチパネル６０７１および表示パネル６０６１を集積して端末の入力および出力機能を実装してもよく、ここでは特に限定されない。
【０２５１】
インターフェースユニット６０８は、外部装置と端末６００とを接続するインターフェースである。たとえば、外部装置には、有線または無線のヘッドセットポート、外部電源（またはバッテリー充電器）ポート、有線または無線のデータポート、メモリカードポート、識別モジュールを備える装置に接続するためのポート、オーディオ入力／出力（Ｉ／Ｏ）、ビデオＩ／Ｏポート、イヤフォンポートなど含んでもよい。インターフェースユニット６０８は、外部装置からの入力（例えば、データ情報、電力など）を受信し、受信した入力を端末６００における１つ以上の要素に伝送するために使用されることができ、または端末６００と外部装置との間でデータを伝送するために使用されることができる。
【０２５２】
メモリ６０９は、ソフトウェアプログラムおよび様々なデータを格納するために使用され得る。メモリ６０９は、主にプログラム記憶領域およびデータ記憶領域を含むことができ、プログラム記憶領域が、操作システム、少なくとも１つの機能（音声再生機能、画像再生機能など）に必要なアプリケーションプログラムなどを収納でき、データ記憶領域が、携帯電話の使用による作成されたデータ（音声データ、電話帳など）を収納できる。また、メモリ６０９は、高速ランダムアクセスメモリを含み得、少なくとも１つのディスクメモリ、フラッシュメモリ、他の揮発性ソリッドステートメモリなどの非揮発性メモリをさらに含み得る。
【０２５３】
プロセッサ６１０は、端末の制御センターであり、様々なインターフェースおよび回線で端末全体の各部を接続し、メモリ６０９に格納されたソフトウェアプログラムおよび／またはモジュールを運行または実行すること、及びメモリ６０９に格納されたデータを呼び出すことによって、端末の各種機能とデータの処理を実行し、端末全体をセンシングする。プロセッサ６１０は、１つ以上の処理ユニットを含み得、オプションで、プロセッサ６１０はアプリケーションプロセッサおよびモデムプロセッサを集成することができ、アプリケーションプロセッサは主に操作システム、ユーザインターフェース、およびアプリケーションプログラムなどを処理し、モデムプロセッサは主に無線通信を処理する。上記のモデムプロセッサは、プロセッサ６１０に集成されなくてもよいと理解され得る。
【０２５４】
端末装置６００はまた、様々なコンポネントに電力を供給するための電源６１１（バッテリーなど）を備えてもよい。オプションで、電源６１１は、電源管理システムを介してプロセッサ６１０に論理的に接続されてよいので、電源管理システムを介して充電、放電、および電力消費管理などの機能を実現する。
【０２５５】
なお、端末６００は、示されていないいくつかの機能モジュールを含む。詳細がここで再び記述されることはない。
【０２５６】
本開示の実施形態はまた、コンピュータプログラムが記憶されているコンピュータ可読記憶媒体を提供し、前記コンピュータプログラムはプロセッサによって実行されると、上記のリソースプールの設定方法のステップを実施する、または、上記のリソースプールの取得方法のステップを実施する。
【０２５７】
本明細書に記載される実施形態は、ハードウェア、ソフトウェア、ファームウェア、ミドルウェア、マイクロコード、またはそれらの組み合わせによって実装され得ることが理解され得る。ハードウェア実装の場合、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理装置（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコンピュータ、マイクロプロセッサ、および本開示に記載の機能を実行するためのその他電子ユニットまたはその組み合わせに実装できる。
【０２５８】
ソフトウェアの実装については、本開示の実施形態に記載される技術は、本開示の実施形態に記載される機能を実行するモジュール（例えば、プロセス、ファンクションなど）を介して実施され得る。ソフトウェアコードはメモリに保存され、プロセッサで実行されることができる。メモリは、プロセッサ内またはプロセッサ外部で実行することができる。
【０２５９】
本明細書の様々な実施形態は、漸進的に説明されている。各実施形態は、他の実施形態との違いに焦点を合わせており、様々な実施形態間の同じまたは類似の部分を互いに参照することができる。
【０２６０】
当業者は、本開示の実施形態の実施形態が、方法、装置、またはコンピュータプログラム製品として提供され得ることを理解すべきである。したがって、本開示の実施形態は、完全なハードウェアの実施形態、完全なソフトウェアの実施形態、またはソフトウェアとハードウェアを組み合わせた実施形態の形態を採用することができる。さらに、本開示の実施形態は、コンピュータ使用可能なプログラムコードを含む１つまたは複数のコンピュータ使用可能な記憶媒体（ディスクディスクストレージ、ＣＤ−ＲＯＭ、光ストレージなどを含むがこれらに限定されない）上に実装されるコンピュータプログラム製品の形で使用することができる。
【０２６１】
本開示の実施形態は、本開示の実施形態による方法、ユーザ機器（システム）、およびコンピュータプログラム製品のフローチャートおよび／またはブロック図を参照して説明される。コンピュータプログラムコマンドによって流れ図および／またはブロック図の各手順および／またはブロックと、流れ図および／ブロック図の手順および／またはブロックの組み合わせと、を実装可能であることを理解されよう。これらのコンピュータプログラム命令は、汎用コンピュータ、専用コンピュータ、組み込みプロセッサ、または他のプログラム可能なデータ処理のユーザ機器のプロセッサに提供してマシンを生成することもでき、従って、コンピュータまたは他のプログラム可能なデータ処理ユーザ機器のプロセッサによって命令を実行され、フローチャートの１つまたは複数のフローおよび／またはブロック図の１つまたは複数のブロックで指定される機能を実現するための装置が生成される。
【０２６２】
これらのコンピュータプログラム命令はまた、コンピュータまたは他のプログラム可能なデータ処理のユーザ機器に特定の方法で動作するように指示することができるコンピュータ可読メモリに格納することもでき、従って、コンピュータ可読メモリに格納された命令は、命令装置を含む製造品を生成し、当該命令装置は、フローチャートの１つまたは複数のプロセスおよび／またはブロック図の１つのブロックまたは複数のブロックで指定される機能を実装する。
【０２６３】
これらのコンピュータプログラム命令はまた、コンピュータまたは他のプログラム可能なデータ処理のユーザ機器にロードすることもでき、従って、一連の操作ステップがコンピュータまたは他のプログラム可能なユーザ機器上で実行されて、コンピュータ実装処理を生成し、コンピュータまたは他のプログラム可能なユーザ機器に上記で実行される命令は、フローチャートのフローまたは複数のフロー、および／またはブロック図のブロックまたは複数のブロックで指定される機能を実装するためのステップを提供する。
【０２６４】
本開示の実施形態の好ましい実施形態が説明されてきたが、当業者は、基本的な創造的概念を習得すると、これらの実施形態に追加の変更および修正を加えることができる。したがって、添付の特許請求の範囲は、好ましい実施形態、ならびに本開示の実施形態の範囲内にあるすべての変更および修正を含むものとして解釈されることを意図している。
【０２６５】
また、本明細書では、「第１」および「第２」などの関係用語は、あるエンティティまたは操作を別のエンティティまたは操作から区別するためにのみ使用され、必ずしもこれらのエンティティまたは操作の間にそのような実際の関係または順序が存在するのを要求または暗示するものではないことにも注意されたい。しかも、本明細書では、「含む」、「備える」、またはそれらの他の変形という用語は、非排他的な包含をカバーすることを意図しているため、一連の要素を含むプロセス、方法、物品、またはユーザ装置は、それらの要素を含むだけではなく、また、明示的にリストされていない他の要素、またはプロセス、方法、物品、またはユーザ装置に固有の要素も含まれることに留意されたい。これ以上の制限ない場合、「１つの・・・を含む」という文で限定される要素は、その要素を含むプロセス、方法、物品、またはユーザ装置内の他の同一の要素の存在を除外しない。
【０２６６】
上記は、本開示のオプションとしての実施形態である。当業者にとって、本開示に記載された原理から逸脱することなく、いくつかの改善および修正を行うことができ、これらの改善および修正も、本開示の保護範囲内にあることに留意されたい。
【図１】
2022502941.tif 000003
【図２】
2022502941.tif 000004
【図３】
2022502941.tif 000005
【図４】
2022502941.tif 000006
【図５】
2022502941.tif 000007
【図６】
2022502941.tif 000008
【図７】
2022502941.tif 000009
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
端末に適用されるリソースプールの取得方法であって、
事前定義される第１のリソースプールを取得することと、事前設定される第１のリソースプールを取得することと、設定される第１のリソースを取得することとの、少なくとも１つの方式で前記第１のリソースプールを取得することを含む、リソースプールの取得方法。
【請求項２】
請求項１に記載のリソースプールの取得方法であって、事前定義される第１のリソースプール、事前設定される第１のリソースプール、および設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む、リソースプールの取得方法。
【請求項３】
前記リソースプールの取得方法は、
再設定される第１のリソースプールを取得することをさらに含み、前記再設定される第１のリソースプールは、事前定義される前記第１のリソースプール、事前設定される前記第１のリソースプール、設定される前記第１のリソースプールの少なくとも１つと同じであるか互換性がある、請求項１に記載のリソースプールの取得方法。
【請求項４】
請求項１に記載のリソースプールの取得方法であって、
センシングプロセスに従って、前記第１のリソースプールをセンシングすることをさらに含む、リソースプールの取得方法。
【請求項５】
請求項４に記載のリソースプールの取得方法であって、前記センシングプロセスに従って、前記第１のリソースプールをセンシングすることは、
第１の時間窓内で前記第１のリソースプールをセンシングすること、
第１の周期に従って前記第１のリソースプールをセンシングすること、
対応する伝送設定または対応する伝送モードを使用する場合、前記第１のリソースプールのセンシングすること、
他のリソースプールでの伝送が対応する条件を満たす場合、前記第１のリソースプールをセンシングすること、のうちの少なくとも１つを含み、
及び／又は、
前記第１のリソースプールをセンシングすることは、
前記第１のリソースプールにおいて同期すること、
前記第１のリソースプールにおいて測定すること、
前記第１のリソースプールにおいて伝送すること、
前記第１のリソースプールにおいて監視すること、の少なくとも１つを含む、リソースプールの取得方法。
【請求項６】
請求項５に記載のリソースプールの取得方法であって、前記対応する伝送設定または対応する伝送モードは、
ブロードキャストが必要な場合、
ビームスキャンが必要な場合、
接続に失敗した場合、
リソースプールを再設定する場合、
リソースプールを増加する場合、
リソースプールを解放する場合、
準コロケーション情報ＱＣＬ（ｑｕａｓｉ  ｃｏ−ｌｏｃａｔｉｏｎ）が取得できない場合、
要求を満たす同期ソースが見つけられない場合、のうちの少なくとも１つを含み、
及び／又は、
前記対応する条件は、
ビットエラー率がしきい値よりも高いこと、
ブロックエラー率がしきい値よりも高いこと、
誤警報率Ｆａｌｓｅ  ａｌａｒｍがしきい値を超えていること、
ビーム障害からの回復、
接続失敗からの回復、
接続の再設定、の少なくとも１つを含む、リソースプールの取得方法。
【請求項７】
請求項１に記載のリソースプールの取得方法であって、前記第１のリソースプールは、少なくとも１つのリソースプールエンティティを含み、前記方法はさらに、
前記第１のリソースプールで使用される少なくとも１つのリソースプールエンティティを決定することを含み、
ここで、事前定義される評価基準、事前設定される評価基準、および設定される評価基準のうちの少なくとも１つに基づいて、前記第１のリソースプールからセンシングされるリソースプールエンティティを選択することと、
ネットワーク側装置および／または他の端末から送信される指示情報に基づいて、第１のリソースプールからセンシングされるリソースプールエンティティを選択することとの少なくとも１つの方式で、前記第１のリソースプールで使用される少なくとも１つのリソースプールエンティティを決定し、
ここで、
前記評価基準は、
測定結果、リソースプールエンティティの優先順位、リソースプールエンティティがサポートするサービスタイプ、リソースプールエンティティがサポートする伝送タイプ、リソースプールエンティティの負荷状態、リソースプールエンティティのＳＣＳ、リソースプールエンティティのサイクリックプレフィックスＣＰ、リソースプールエンティティの通信距離、リソースプールエンティティの電力制限、およびリソースプールエンティティのサービス品質Ｑｏｓ要求の少なくとも１つを含み、
及び／又は、
前記指示情報の形は、
ビットマップ、
リソースプールエンティティの絶対識別子、
前記第１のリソースプール内のリソースプールエンティティの総数に対するリソースプールエンティティの相対識別子、の少なくとも１つを含む、リソースプールの取得方法。
【請求項８】
請求項１に記載のリソースプールの取得方法であって、前記第１のリソースプールが他の端末によって設定される場合、前記第１のリソースプールの設定情報は、サイドリンクｓｉｄｅｌｉｎｋで前記他の端末によって送信されるサイドリンクマスター情報ブロックおよび／または他のブロードキャストメッセージに運ばれる、リソースプールの取得方法。
【請求項９】
請求項１に記載のリソースプールの取得方法であって、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールを後で使用されるリソースプールとすること、または、
事前定義および／または事前設定される少なくとも１つの第２のリソースプールの設定情報を取得し、および／またはリソースプールの設定装置によって設定される少なくとも１つの第２のリソースプールの設定情報を受信し、前記少なくとも１つの第２のリソースプールから少なくとも１つの第２のリソースプールを選択し、後で使用されるリソースプールとし、選択されたリソースプールの識別子を前記リソースプールの設定装置に送信することを含み、
前記リソースプールの設定装置は、ネットワーク側装置或いは端末である、リソースプールの取得方法。
【請求項１０】
請求項１に記載のリソースプールの取得方法であって、前記第１のリソースプールの時間領域および／または周波数領域リソースの粒度は、合計ビーム数の整数倍であるか、または前記第１のリソースプールの時間領域および／または周波数領域リソースの粒度は、合計同期信号ブロック数の整数倍である、リソースプールの取得方法。
【請求項１１】
リソースプールの設定装置に適用されるリソースプールの設定方法であって、前記方法は、
端末の第１のリソースプールを設定することを含む、リソースプールの取得方法。
【請求項１２】
請求項１１に記載のリソースプールの設定方法であって、事前定義される第１のリソースプール、事前設定される第１のリソースプール、および設定される第１のリソースプールのうちの少なくとも２つは互換性があり、互換性は、
周波数領域リソースが等しいこと、時間領域リソースが等しいこと、中の一方の周波数領域リソース範囲がもう一方の周波数領域リソース範囲に含まれること、中の一方の時間領域リソース範囲がもう一方の時間領域リソース範囲に含まれることの少なくとも１つを含む、リソースプールの取得方法。
【請求項１３】
請求項１１に記載のリソースプールの設定方法であって、前記第１のリソースプールは、少なくとも１つのリソースプールエンティティを含み、前記方法はさらに、
前記端末が前記第１のリソースプールで使用するリソースプールエンティティを設定することを含む、リソースプールの取得方法。
【請求項１４】
端末であって、
事前定義される第１のリソースプールを取得することと、事前設定される第１のリソースプールを取得することと、設定される第１のリソースを取得することとの、少なくとも１つの方式で前記第１のリソースプールを取得するように構成される取得モジュールを備える、端末。
【請求項１５】
リソースプールの設定装置であって、
端末の第１のリソースプールを設定するように構成される設定モジュールを備える、リソースプールの設定装置。
【国際調査報告】
2022502941.tif 000010
2022502941.tif 000011
2022502941.tif 000012
2022502941.tif 000013
2022502941.tif 000014
2022502941.tif 000015